(57)【要約】リソース情報決定方法および装置、記憶媒体、ならびにユーザ機器。本方法は、同期信号ブロックの最小インデックスのＰＲＢの周波数領域位置を決定するステップと、同期信号ブロックの最小インデックスのＰＲＢの周波数領域位置に応じて、初期アクティブダウンリンクＢＷＰの位置を決定するステップと、第１タイプのＰＤＣＣＨのＣＯＲＥＳＥＴの位置を決定するステップであって、ＣＯＲＥＳＥＴの位置は、ＣＯＲＥＳＥＴの最小インデックスのＰＲＢの周波数領域位置およびＣＯＲＥＳＥＴのＰＲＢ数、またはＣＯＲＥＳＥＴのビットマップベースのＰＲＢ位置を含む、ステップと、を含む。本発明の解決策により、ユーザ機器は、ＮＲアンライセンス周波数帯において、初期アクティブダウンリンクＢＷＰのリソース構成と、第１タイプのＰＤＣＣＨのリソース構成情報を取得できる。
2022502917.tif 000002
【特許請求の範囲】
【請求項１】
リソース情報決定方法であって、
同期信号ブロックの最小インデックスを有する物理リソースブロック（ＰＲＢ）の周波数領域位置を決定するステップと、
前記同期信号ブロックの前記最小インデックスを有する前記ＰＲＢの前記周波数領域位置に応じて、初期アクティブダウンリンク帯域幅部分（ＢＷＰ）の位置を決定するステップであって、前記初期アクティブダウンリンクＢＷＰの前記位置は、前記初期アクティブダウンリンクＢＷＰの最小インデックスを有するＰＲＢの周波数領域位置および前記初期アクティブダウンリンクＢＷＰのＰＲＢ数を含む、ステップと、
第１タイプの物理ダウンリンク制御チャネル（ＰＤＣＣＨ）の制御リソースセット（ＣＯＲＥＳＥＴ）の位置を決定するステップであって、前記ＣＯＲＥＳＥＴの前記位置は、前記ＣＯＲＥＳＥＴの最小インデックスを有するＰＲＢの周波数領域位置および前記ＣＯＲＥＳＥＴのＰＲＢ数、または前記ＣＯＲＥＳＥＴのビットマップベースのＰＲＢ位置を含む、ステップと、
を含む、リソース情報決定方法。
【請求項２】
前記初期アクティブダウンリンクＢＷＰの前記位置を決定するステップは、
基地局から、前記同期信号ブロックの前記最小インデックスを有する前記ＰＲＢの前記周波数領域位置と、前記初期アクティブダウンリンクＢＷＰの前記最小インデックスを有する前記ＰＲＢの前記周波数領域位置との間の第１オフセットを取得するステップと、
前記第１オフセットおよび前記同期信号ブロックの前記最小インデックスを有する前記ＰＲＢの前記周波数領域位置に応じて、前記初期アクティブダウンリンクＢＷＰの前記最小インデックスを有する前記ＰＲＢの前記周波数領域位置を決定するステップと、
を含む、請求項１に記載のリソース情報決定方法。
【請求項３】
前記第１タイプのＰＤＣＣＨの前記ＣＯＲＥＳＥＴの前記位置を決定するステップは、
前記初期アクティブダウンリンクＢＷＰの前記最小インデックスを有する前記ＰＲＢと、前記第１タイプのＰＤＣＣＨの前記ＣＯＲＥＳＥＴの前記最小インデックスを有する前記ＰＲＢとの間の第２オフセット、および前記初期アクティブダウンリンクＢＷＰの前記最小インデックスを有する前記ＰＲＢの前記周波数領域位置に応じて、前記第１タイプのＰＤＣＣＨの前記ＣＯＲＥＳＥＴの前記最小インデックスを有する前記ＰＲＢの前記周波数領域位置を決定するステップを含み、
前記第２オフセットは、あらかじめ定められている、または前記基地局から取得される、
請求項２に記載のリソース情報決定方法。
【請求項４】
前記第１タイプのＰＤＣＣＨの前記ＣＯＲＥＳＥＴの前記位置を決定するステップは、
前記同期信号ブロックの前記最小インデックスを有する前記ＰＲＢと、前記第１タイプのＰＤＣＣＨの前記ＣＯＲＥＳＥＴの前記最小インデックスを有する前記ＰＲＢとの間の第３オフセット、および前記初期アクティブダウンリンクＢＷＰの前記最小インデックスを有する前記ＰＲＢの前記周波数領域位置に応じて、前記第１タイプのＰＤＣＣＨの前記ＣＯＲＥＳＥＴの前記最小インデックスを有する前記ＰＲＢの前記周波数領域位置を決定するステップを含み、
前記第３オフセットは、前記基地局から取得される、
請求項２に記載のリソース情報決定方法。
【請求項５】
前記初期アクティブダウンリンクＢＷＰの前記ＰＲＢ数は、前記初期アクティブダウンリンクＢＷＰが配置されている周波数帯とあらかじめ設定された第１のマッピング関係を有しており、前記初期アクティブダウンリンクＢＷＰの前記位置を決定するステップは、
前記初期アクティブダウンリンクＢＷＰの前記最小インデックスを有する前記ＰＲＢの前記周波数領域位置と、前記あらかじめ設定された第１のマッピング関係とに応じて、前記初期アクティブダウンリンクＢＷＰの前記ＰＲＢ数を決定するステップを含む、
請求項２に記載のリソース情報決定方法。
【請求項６】
前記初期アクティブダウンリンクＢＷＰの前記ＰＲＢ数、前記初期アクティブダウンリンクＢＷＰが配置されている周波数帯、および前記初期アクティブダウンリンクＢＷＰのサブキャリア間隔は、あらかじめ設定された第２のマッピング関係を有しており、前記初期アクティブダウンリンクＢＷＰの前記位置を決定するステップは、
前記初期アクティブダウンリンクＢＷＰの前記最小インデックスを有する前記ＰＲＢの前記周波数領域位置、前記サブキャリア間隔、および前記あらかじめ設定された第２のマッピング関係に応じて、前記初期アクティブダウンリンクＢＷＰの前記ＰＲＢ数を決定するステップを含む、
請求項２に記載のリソース情報決定方法。
【請求項７】
前記第１タイプのＰＤＣＣＨの前記ＣＯＲＥＳＥＴの前記位置を決定するステップは、
基地局から、前記第１タイプのＰＤＣＣＨの前記ＣＯＲＥＳＥＴのビットマップリソースユニットのビットマップを取得するステップであって、各ビットマップリソースユニットは、少なくとも１つのＰＲＢを含み、前記ビットマップリソースユニットは、前記ビットマップ内のビットに対応する、ステップと、
前記ビットマップに応じて、前記第１タイプのＰＤＣＣＨの前記ＣＯＲＥＳＥＴの前記ビットマップベースのＰＲＢ位置を決定するステップと、
を含む、請求項１に記載のリソース情報決定方法。
【請求項８】
前記初期アクティブダウンリンクＢＷＰの前記位置を決定するステップは、
基地局から、前記初期アクティブダウンリンクＢＷＰの前記ＰＲＢ数を取得するステップを含む、
請求項１に記載のリソース情報決定方法。
【請求項９】
前記ＣＯＲＥＳＥＴの前記ＰＲＢ数を決定するステップは、
基地局から前記ＣＯＲＥＳＥＴの前記ＰＲＢ数を取得するステップを含む、
請求項１に記載のリソース情報決定方法。
【請求項１０】
前記同期信号ブロックが配置されている所定のチャネルは、前記初期アクティブダウンリンクＢＷＰの前記最小インデックスを有する前記ＰＲＢの前記周波数領域位置と、あらかじめ設定された第３のマッピング関係を有しており、前記初期アクティブダウンリンクＢＷＰの前記位置を決定するステップは、
前記同期信号ブロックの前記最小インデックスを有する前記ＰＲＢの前記周波数領域位置に応じて、前記同期信号ブロックが配置されている前記所定のチャネルを決定するステップと
前記所定のチャネルと前記あらかじめ設定された第３のマッピング関係に応じて、前記初期アクティブダウンリンクＢＷＰの前記最小インデックスを有する前記ＰＲＢの前記周波数領域位置を決定するステップと、
を含む、請求項１に記載のリソース情報決定方法。
【請求項１１】
前記同期信号ブロックが配置されている前記所定のチャネルは、前記初期アクティブダウンリンクＢＷＰの前記ＰＲＢ数とあらかじめ設定された第４のマッピング関係を有しており、前記初期アクティブダウンリンクＢＷＰの前記位置を決定するステップは、
前記所定のチャネルと前記あらかじめ設定された第４のマッピング関係に応じて、前記初期アクティブダウンリンクＢＷＰの前記ＰＲＢ数を決定するステップを含む、
請求項１０に記載のリソース情報決定方法。
【請求項１２】
前記第１タイプのＰＤＣＣＨの前記ＣＯＲＥＳＥＴの前記位置を決定するステップは、
前記第１タイプのＰＤＣＣＨの前記ＣＯＲＥＳＥＴの前記最小インデックスを有する前記ＰＲＢの前記周波数領域位置を、前記初期アクティブダウンリンクＢＷＰの前記最小インデックスを有する前記ＰＲＢの前記周波数領域位置と同じにすることを決定するステップを含む、
請求項１に記載のリソース情報決定方法。
【請求項１３】
前記第１タイプのＰＤＣＣＨの前記ＣＯＲＥＳＥＴの前記ＰＲＢ数と、前記第１タイプのＰＤＣＣＨの前記ＣＯＲＥＳＥＴの持続時間と、前記初期アクティブダウンリンクＢＷＰのサブキャリア間隔とが、あらかじめ設定された第５のマッピング関係を有しており、前記第１タイプのＰＤＣＣＨの前記ＣＯＲＥＳＥＴの前記位置を決定するステップは、
前記第１タイプのＰＤＣＣＨの前記ＣＯＲＥＳＥＴの前記持続時間、前記初期アクティブダウンリンクＢＷＰの前記サブキャリア間隔、および前記あらかじめ設定された第５のマッピング関係に応じて、前記第１タイプのＰＤＣＣＨの前記ＣＯＲＥＳＥＴの前記ＰＲＢ数を決定するステップを含み、
前記第１タイプのＰＤＣＣＨの前記ＣＯＲＥＳＥＴの前記ＰＲＢ数は、前記初期アクティブダウンリンクＢＷＰの前記ＰＲＢ数と同じであり、
前記第１タイプのＰＤＣＣＨの前記ＣＯＲＥＳＥＴの前記持続時間は、あらかじめ設定されている、または基地局から取得される、
請求項１に記載のリソース情報決定方法。
【請求項１４】
前記第１タイプのＰＤＣＣＨの前記ＣＯＲＥＳＥＴの前記位置を決定するステップは、
前記第１タイプのＰＤＣＣＨの前記ＣＯＲＥＳＥＴの持続時間が２直交周波数分割多重（ＯＦＤＭ）シンボルであることに応じて、前記第１タイプのＰＤＣＣＨのモニタリング機会の開始シンボルを、タイムスロット内のシンボル０および／またはシンボル７と決定するステップと、
前記第１タイプのＰＤＣＣＨの前記ＣＯＲＥＳＥＴの前記継続時間が１ＯＦＤＭシンボルであることに応じて、前記第１タイプのＰＤＣＣＨの前記モニタリング機会の前記開始シンボルを、タイムスロット内のシンボル０および／またはシンボル１と決定するステップと、
を含む、請求項１に記載のリソース情報決定方法。
【請求項１５】
同期信号ブロックの最小インデックスを有する物理リソースブロック（ＰＲＢ）の周波数領域位置を決定するように構成された、同期信号ブロック位置決定モジュールと、
前記同期信号ブロックの前記最小インデックスを有する前記ＰＲＢの前記周波数領域位置に応じて、初期アクティブダウンリンク帯域幅部分（ＢＷＰ）の位置を決定するように調整されたＢＷＰ位置決定モジュールであって、前記初期アクティブダウンリンクＢＷＰの前記位置は、前記初期アクティブダウンリンクＢＷＰの最小インデックスを有するＰＲＢの周波数領域位置と、前記初期アクティブダウンリンクＢＷＰの前記ＰＲＢ数とを含む、ＢＷＰ位置決定モジュールと、
第１タイプの物理ダウンリンク制御チャネル（ＰＤＣＣＨ）の制御リソースセット（ＣＯＲＥＳＥＴ）の位置を決定するように構成されたＣＯＲＥＳＥＴ位置決定モジュールであって、前記ＣＯＲＥＳＥＴの前記位置は、前記ＣＯＲＥＳＥＴの最小インデックスを有するＰＲＢの周波数領域位置および前記ＣＯＲＥＳＥＴのＰＲＢ数、または前記ＣＯＲＥＳＥＴのビットマップベースのＰＲＢ位置を含む、ＣＯＲＥＳＥＴ位置決定モジュールと、
を含む、リソース情報決定装置。
【請求項１６】
前記ＢＷＰ位置決定モジュールは、
前記同期信号ブロックの前記最小インデックスを有する前記ＰＲＢの前記周波数領域位置と、前記初期アクティブダウンリンクＢＷＰの前記最小インデックスを有する前記ＰＲＢの前記周波数領域位置との間の第１オフセットを、基地局から取得するように構成された第１のオフセット取得サブモジュールと、
前記第１オフセットおよび前記同期信号ブロックの前記最小インデックスを有する前記ＰＲＢの前記周波数領域位置に応じて、前記初期アクティブダウンリンクＢＷＰの前記最小インデックスを有する前記ＰＲＢの前記周波数領域位置を決定するように構成された第１のＢＷＰ位置決定サブモジュールと、
を含む、請求項１５に記載のリソース情報決定装置。
【請求項１７】
前記ＣＯＲＥＳＥＴ位置決定モジュールは、
前記初期アクティブダウンリンクＢＷＰの前記最小インデックスを有する前記ＰＲＢと、前記第１タイプのＰＤＣＣＨの前記ＣＯＲＥＳＥＴの前記最小インデックスを有する前記ＰＲＢとの間の第２オフセット、および前記初期アクティブダウンリンクＢＷＰの前記最小インデックスを有する前記ＰＲＢの前記周波数領域位置に応じて、前記第１タイプのＰＤＣＣＨの前記ＣＯＲＥＳＥＴの前記最小インデックスを有する前記ＰＲＢの前記周波数領域位置を決定するように構成された第１のＣＯＲＥＳＥＴ位置決定モジュールを含み、
前記第２オフセットは、あらかじめ定められている、または前記基地局から取得される、
請求項１６に記載のリソース情報決定装置。
【請求項１８】
前記ＣＯＲＥＳＥＴ位置決定モジュールは、
前記同期信号ブロックの前記最小インデックスを有する前記ＰＲＢと、前記第１タイプのＰＤＣＣＨの前記ＣＯＲＥＳＥＴの前記最小インデックスを有する前記ＰＲＢとの間の第３オフセット、および前記初期アクティブダウンリンクＢＷＰの前記最小インデックスを有する前記ＰＲＢの前記周波数領域位置に応じて、前記第１タイプのＰＤＣＣＨの前記ＣＯＲＥＳＥＴの前記最小インデックスを有する前記ＰＲＢの前記周波数領域位置を決定するように構成された第２のＣＯＲＥＳＥＴ位置決定モジュールを含み、
前記第３オフセットは、前記基地局から取得される、
請求項１６に記載のリソース情報決定装置。
【請求項１９】
前記初期アクティブダウンリンクＢＷＰの前記ＰＲＢ数は、前記初期アクティブダウンリンクＢＷＰが配置されている周波数帯とあらかじめ設定された第１のマッピング関係を有しており、前記ＢＷＰ位置決定モジュールは、
前記初期アクティブダウンリンクＢＷＰの前記最小インデックスを有する前記ＰＲＢの前記周波数領域位置と、前記あらかじめ設定された第１のマッピング関係とに応じて、ＢＷＰの前記ＰＲＢ数を決定するように構成された第１のＢＷＰ数決定サブモジュールを含む、
請求項１６に記載のリソース情報決定装置。
【請求項２０】
前記初期アクティブダウンリンクＢＷＰの前記ＰＲＢ数、前記初期アクティブダウンリンクＢＷＰが配置されている周波数帯、および前記初期アクティブダウンリンクＢＷＰのサブキャリア間隔は、あらかじめ設定された第２のマッピング関係を有しており、前記ＢＷＰ位置決定モジュールは、
前記初期アクティブダウンリンクＢＷＰの前記最小インデックスを有する前記ＰＲＢの前記周波数領域位置、前記サブキャリア間隔、および前記あらかじめ設定された第２のマッピング関係に応じて、前記初期アクティブダウンリンクＢＷＰの前記ＰＲＢ数を決定するように構成された第２のＢＷＰ数決定サブモジュールを含む、
請求項１６に記載のリソース情報決定装置。
【請求項２１】
前記ＣＯＲＥＳＥＴ位置決定モジュールは、
基地局から前記第１タイプのＰＤＣＣＨの前記ＣＯＲＥＳＥＴのビットマップリソースユニットのビットマップを取得するように構成されたビットマップ取得サブモジュールであって、各ビットマップリソースユニットが少なくとも１つのＰＲＢを含み、前記ビットマップリソースユニットが前記ビットマップ内のビットに対応する、ビットマップ取得サブモジュールと、
前記ビットマップに応じて、前記第１タイプのＰＤＣＣＨの前記ＣＯＲＥＳＥＴの前記ビットマップベースのＰＲＢ位置を決定するように構成された、第１のＣＯＲＥＳＥＴ位置決定サブモジュールと、
を含む、請求項１５に記載のリソース情報決定装置。
【請求項２２】
前記ＢＷＰ位置決定モジュールは、
基地局から前記初期アクティブダウンリンクＢＷＰの前記ＰＲＢ数を取得するように構成されたＢＷＰ数取得サブモジュールを含む、
請求項１５に記載のリソース情報決定装置。
【請求項２３】
前記ＢＷＰ位置決定モジュールは、
基地局から前記ＣＯＲＥＳＥＴの前記ＰＲＢ数を取得するように構成されたＣＯＲＥＳＥＴ数取得サブモジュールを含む、
請求項１５に記載のリソース情報決定装置。
【請求項２４】
前記同期信号ブロックが配置されている所定のチャネルは、前記初期アクティブダウンリンクＢＷＰの前記最小インデックスを有する前記ＰＲＢの前記周波数領域位置とあらかじめ設定された第３のマッピング関係を有しており、前記ＢＷＰ位置決定モジュールは、
前記同期信号ブロックの前記最小インデックスを有する前記ＰＲＢの前記周波数領域位置に応じて、前記同期信号ブロックが配置されている前記所定のチャネルを決定するように構成されたチャネル決定サブモジュールと、
前記所定のチャネルおよび前記あらかじめ設定された第３のマッピング関係に応じて、前記初期アクティブダウンリンクＢＷＰの前記最小インデックスを有する前記ＰＲＢの前記周波数領域位置を決定するように構成された、第２のＢＷＰ位置決定サブモジュールと、
を含む、請求項１５に記載のリソース情報決定装置。
【請求項２５】
前記同期信号ブロックが配置されている前記所定のチャネルは、前記初期アクティブダウンリンクＢＷＰの前記ＰＲＢ数とあらかじめ設定された第４のマッピング関係を有しており、前記ＢＷＰ位置決定モジュールは、
前記所定のチャネルおよび前記あらかじめ設定された第４のマッピング関係に応じて、前記初期アクティブダウンリンクＢＷＰの前記ＰＲＢ数を決定するように構成された、第３のＢＷＰ数決定サブモジュールを含む、
請求項２４に記載のリソース情報決定装置。
【請求項２６】
前記ＣＯＲＥＳＥＴ位置決定モジュールは、
前記第１タイプのＰＤＣＣＨの前記ＣＯＲＥＳＥＴの前記最小インデックスを有する前記ＰＲＢの前記周波数領域位置を、前記初期アクティブダウンリンクＢＷＰの前記最小インデックスを有する前記ＰＲＢの前記周波数領域位置と同じになるように決定するように構成された第３のＣＯＲＥＳＥＴ位置決定サブモジュールを含む、
請求項１５に記載のリソース情報決定装置。
【請求項２７】
前記第１タイプのＰＤＣＣＨの前記ＣＯＲＥＳＥＴの前記ＰＲＢ数と、前記第１タイプのＰＤＣＣＨの前記ＣＯＲＥＳＥＴの持続時間と、前記初期アクティブダウンリンクＢＷＰのサブキャリア間隔とが、あらかじめ設定された第５のマッピング関係を有しており、前記ＣＯＲＥＳＥＴ位置決定モジュールは、
前記第１タイプのＰＤＣＣＨの前記ＣＯＲＥＳＥＴの前記持続時間、前記初期アクティブダウンリンクＢＷＰの前記サブキャリア間隔、および前記あらかじめ設定された第５のマッピング関係に応じて、前記第１タイプのＰＤＣＣＨの前記ＣＯＲＥＳＥＴの前記ＰＲＢ数を決定するように構成されている、第２のＣＯＲＥＳＥＴ数決定サブモジュールを含み、
前記第１タイプのＰＤＣＣＨの前記ＣＯＲＥＳＥＴの前記ＰＲＢ数が、前記初期アクティブダウンリンクＢＷＰの前記ＰＲＢ数と同じであり、
前記第１タイプのＰＤＣＣＨの前記ＣＯＲＥＳＥＴの前記持続時間があらかじめ定められている、または基地局から取得される、
請求項１５に記載のリソース情報決定装置。
【請求項２８】
前記ＣＯＲＥＳＥＴ位置決定モジュールは、
前記第１タイプのＰＤＣＣＨの前記ＣＯＲＥＳＥＴの持続時間が２直交周波数分割多重（ＯＦＤＭ）シンボルであることに応じて、前記第１タイプのＰＤＣＣＨのモニタリング機会の開始シンボルがタイムスロット内のシンボル０および／またはシンボル７であることを決定するように構成された第３のＰＤＣＣＨ決定サブモジュールと、
前記第１タイプのＰＤＣＣＨの前記ＣＯＲＥＳＥＴの前記持続時間が１ＯＦＤＭシンボルであることに応じて、前記第１タイプのＰＤＣＣＨの前記モニタリング機会の前記開始シンボルがタイムスロット内のシンボル０および／またはシンボル１であることを決定するように構成された第４のＰＤＣＣＨ決定サブモジュールと、
を含む、請求項１５に記載のリソース情報決定装置。
【請求項２９】
コンピュータ命令が格納された記憶媒体であって、前記コンピュータ命令が実行されると、請求項１から１４のいずれか一項に記載の方法が実行される、記憶媒体。
【請求項３０】
メモリとプロセッサを有するユーザ機器であって、前記メモリは、コンピュータ命令が格納され、前記プロセッサが前記コンピュータ命令を実行すると、請求項１から１４のいずれか一項に記載の方法が実行される、ユーザ機器。
【発明の詳細な説明】
【関連出願】
【０００１】
本出願は、２０１８年９月２８日に出願された、発明の名称が「リソース情報決定方法および装置、記憶媒体並びにユーザ機器」である中国特許出願第２０１８１１１４１２６３．９号の優先権の利益を主張するものであり、本件明細書の一部を構成するものとしてその開示全体を本件明細書に援用する。
【技術分野】
【０００２】
本開示は、概して通信技術分野に関し、より具体的には、リソース情報決定方法および装置、記憶媒体、ならびにユーザ機器に関するものである。
【背景技術】
【０００３】
既存のリリース１５のＮＲ技術では、初期アクティブダウンリンク帯域幅部分（Initial Active Downlink Band-width Part：ＢＷＰ）の位置は、通常、例えば、第１のタイプの物理ダウンリンク制御チャネル（Physical Downlink Control Channel：ＰＤＣＣＨ）、例えばタイプ０−ＰＤＣＣＨ、の制御リソースセット（ＣＯＲＥＳＥＴ）の位置と同じである。したがって、ユーザ機器（端末とも呼ばれる）は、ＭＩＢ（Management Information Base）またはＲＲＣ（Radio Resource Control）レイヤによって示される第１のタイプのＰＤＣＣＨのＣＯＲＥＳＥＴに従って、初期アクティブダウンリンクＢＷＰの位置を直接取得できる。ここで、第１のタイプのＰＤＣＣＨは、ＲＭＳＩ（remaining minimum system information）ＰＤＣＣＨとも呼ばれる。
【０００４】
しかし、５ＧＨｚ帯でのＮＲの免許不要（アンライセンス）帯域では、初期アクティブダウンリンクＢＷＰの帯域幅は２０ＭＨｚに近く、Ｗｉ−Ｆｉ（登録商標）チャネルに固定される可能性がある。第１のタイプのＰＤＣＣＨのＣＯＲＥＳＥＴは、ある一定の自由度を有してもよく、例えば、２０ＭＨｚ未満の帯域幅を有してもよい。そのため、初期アクティブダウンリンクＢＷＰの位置は、第１のタイプのＰＤＣＣＨのＣＯＲＥＳＥＴの位置と一致しない場合がある。
【０００５】
要約すると、リソース情報決定方法が必要であり、それによって、ユーザー機器は、ＮＲアンライセンス周波数帯において、初期アクティブダウンリンクＢＷＰのリソース構成と、第１タイプのＰＤＣＣＨのリソース構成を決定できる。
【発明の概要】
【０００６】
本開示の実施形態は、リソース情報決定方法および装置、記憶媒体、ならびにユーザ機器を提供し、それによってユーザ機器は、ＮＲアンライセンス周波数帯において、初期アクティブダウンリンクＢＷＰのリソース構成および第１タイプのＰＤＣＣＨのリソース構成を決定できる。
【０００７】
本開示の一実施形態では、リソース情報決定方法が提供され、リソース情報決定方法は、同期信号ブロックの最小インデックスを有する物理リソースブロック（Physical Resource Block：ＰＲＢ）の周波数領域位置を決定するステップと、同期信号ブロックの最小インデックスを有するＰＲＢの周波数領域位置に応じて、初期アクティブダウンリンク帯域幅部分（ＢＷＰ）の位置を決定するステップであって、初期アクティブダウンリンクＢＷＰの位置は、初期アクティブダウンリンクＢＷＰの最小インデックスを有するＰＲＢの周波数領域位置および初期アクティブダウンリンクＢＷＰのＰＲＢ数を含む、ステップと、第１タイプの物理ダウンリンク制御チャネル（ＰＤＣＣＨ）の制御リソースセット（ＣＯＲＥＳＥＴ）の位置を決定するステップであって、ＣＯＲＥＳＥＴの位置は、ＣＯＲＥＳＥＴの最小インデックスを有するＰＲＢの周波数領域位置およびＣＯＲＥＳＥＴのＰＲＢ数、またはＣＯＲＥＳＥＴのビットマップベースのＰＲＢ位置を含む、ステップと、を含む。
【０００８】
選択的に、初期アクティブダウンリンクＢＷＰの位置を決定するステップは、基地局から、同期信号ブロックの最小インデックスを有するＰＲＢの周波数領域位置と、初期アクティブダウンリンクＢＷＰの最小インデックスを有するＰＲＢの周波数領域位置との間の第１オフセットを取得するステップと、第１オフセットおよび同期信号ブロックの最小インデックスを有するＰＲＢの周波数領域位置に応じて、初期アクティブダウンリンクＢＷＰの最小インデックスを有するＰＲＢの周波数領域位置を決定するステップと、を含む。
【０００９】
選択的に、第１タイプのＰＤＣＣＨのＣＯＲＥＳＥＴの位置を決定するステップは、初期アクティブダウンリンクＢＷＰの最小インデックスを有するＰＲＢと、第１タイプのＰＤＣＣＨのＣＯＲＥＳＥＴの最小インデックスを有するＰＲＢとの間の第２オフセット、および初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置を決定するステップを含み、第２オフセットは、あらかじめ定められている、または基地局から取得される。
【００１０】
選択的に、第１タイプのＰＤＣＣＨのＣＯＲＥＳＥＴの位置を決定するステップは、同期信号ブロックの最小インデックスを有するＰＲＢと、第１タイプのＰＤＣＣＨのＣＯＲＥＳＥＴの最小インデックスを有するＰＲＢとの間の第３オフセット、および初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置を決定するステップを含み、第３オフセットは、基地局から取得される。
【００１１】
選択的に、初期アクティブダウンリンクＢＷＰのＰＲＢ数は、初期アクティブダウンリンクＢＷＰが配置されている周波数帯とあらかじめ設定された第１のマッピング関係を有しており、初期アクティブダウンリンクＢＷＰの位置を決定するステップは、初期アクティブダウンリンクＢＷＰの最小インデックスを有するＰＲＢの周波数領域位置と、あらかじめ設定された第１のマッピング関係とに応じて、初期アクティブダウンリンクＢＷＰのＰＲＢ数を決定するステップを含む。
【００１２】
選択的に、初期アクティブダウンリンクＢＷＰのＰＲＢ数、初期アクティブダウンリンクＢＷＰが配置されている周波数帯、および初期アクティブダウンリンクＢＷＰのサブキャリア間隔は、あらかじめ設定された第２のマッピング関係を有しており、初期アクティブダウンリンクＢＷＰの位置を決定するステップは、初期アクティブダウンリンクＢＷＰの最小インデックスを有するＰＲＢの周波数領域位置、サブキャリア間隔、およびあらかじめ設定された第２のマッピング関係に応じて、初期アクティブダウンリンクＢＷＰのＰＲＢ数を決定するステップを含む。
【００１３】
選択的に、第１タイプのＰＤＣＣＨのＣＯＲＥＳＥＴの位置を決定するステップは、基地局から、第１タイプのＰＤＣＣＨのＣＯＲＥＳＥＴのビットマップリソースユニットのビットマップを取得するステップであって、各ビットマップリソースユニットは、少なくとも１つのＰＲＢを含み、ビットマップリソースユニットは、ビットマップ内のビットに対応する、ステップと、ビットマップに応じて、第１タイプのＰＤＣＣＨのＣＯＲＥＳＥＴのビットマップベースのＰＲＢ位置を決定するステップと、を含む。
【００１４】
選択的に、初期アクティブダウンリンクＢＷＰの位置を決定するステップは、基地局から、初期アクティブダウンリンクＢＷＰのＰＲＢ数を取得するステップを含む。
【００１５】
選択的に、ＣＯＲＥＳＥＴのＰＲＢ数を決定するステップは、基地局からＣＯＲＥＳＥＴのＰＲＢ数を取得するステップを含む。
【００１６】
選択的に、同期信号ブロックが配置されている所定のチャネルは、初期アクティブダウンリンクＢＷＰの最小インデックスを有するＰＲＢの周波数領域位置と、あらかじめ設定された第３のマッピング関係を有しており、初期アクティブダウンリンクＢＷＰの位置を決定するステップは、同期信号ブロックの最小インデックスを有するＰＲＢの周波数領域位置に応じて、同期信号ブロックが配置されている所定のチャネルを決定するステップと所定のチャネルとあらかじめ設定された第３のマッピング関係に応じて、初期アクティブダウンリンクＢＷＰの最小インデックスを有するＰＲＢの周波数領域位置を決定するステップと、を含む。
【００１７】
選択的に、同期信号ブロックが配置されている所定のチャネルは、初期アクティブダウンリンクＢＷＰのＰＲＢ数とあらかじめ設定された第４のマッピング関係を有しており、初期アクティブダウンリンクＢＷＰの位置を決定するステップは、所定のチャネルとあらかじめ設定された第４のマッピング関係に応じて、初期アクティブダウンリンクＢＷＰのＰＲＢ数を決定するステップを含む。
【００１８】
選択的に、第１タイプのＰＤＣＣＨのＣＯＲＥＳＥＴの位置を決定するステップは、第１タイプのＰＤＣＣＨのＣＯＲＥＳＥＴの最小インデックスを有するＰＲＢの周波数領域位置を、初期アクティブダウンリンクＢＷＰの最小インデックスを有するＰＲＢの周波数領域位置と同じにすることを決定するステップを含む。
【００１９】
選択的に、第１タイプのＰＤＣＣＨのＣＯＲＥＳＥＴのＰＲＢ数と、第１タイプのＰＤＣＣＨのＣＯＲＥＳＥＴの持続時間と、初期アクティブダウンリンクＢＷＰのサブキャリア間隔とが、あらかじめ設定された第５のマッピング関係を有しており、第１タイプのＰＤＣＣＨのＣＯＲＥＳＥＴの位置を決定するステップは、第１タイプのＰＤＣＣＨのＣＯＲＥＳＥＴの持続時間、初期アクティブダウンリンクＢＷＰのサブキャリア間隔、およびあらかじめ設定された第５のマッピング関係に応じて、第１タイプのＰＤＣＣＨのＣＯＲＥＳＥＴのＰＲＢ数を決定するステップを含み、第１タイプのＰＤＣＣＨのＣＯＲＥＳＥＴのＰＲＢ数は、初期アクティブダウンリンクＢＷＰのＰＲＢ数と同じであり、第１タイプのＰＤＣＣＨのＣＯＲＥＳＥＴの持続時間は、あらかじめ設定されている、または基地局から取得される。
【００２０】
選択的に、第１タイプのＰＤＣＣＨのＣＯＲＥＳＥＴの位置を決定するステップは、第１タイプのＰＤＣＣＨのＣＯＲＥＳＥＴの持続時間が２直交周波数分割多重（ＯＦＤＭ）シンボルであることに応じて、第１タイプのＰＤＣＣＨのモニタリング機会の開始シンボルを、タイムスロット内のシンボル０および／またはシンボル７と決定するステップと、第１タイプのＰＤＣＣＨのＣＯＲＥＳＥＴの継続時間が１ＯＦＤＭシンボルであることに応じて、第１タイプのＰＤＣＣＨのモニタリング機会の開始シンボルを、タイムスロット内のシンボル０および／またはシンボル１と決定するステップと、を含む。
【００２１】
本開示の一実施形態では、リソース情報決定装置が提供され、リソース情報決定装置は、同期信号ブロックの最小インデックスを有する物理リソースブロック（ＰＲＢ）の周波数領域位置を決定するように構成された、同期信号ブロック位置決定モジュールと、同期信号ブロックの最小インデックスを有するＰＲＢの周波数領域位置に応じて、初期アクティブダウンリンク帯域幅部分（ＢＷＰ）の位置を決定するように調整されたＢＷＰ位置決定モジュールであって、初期アクティブダウンリンクＢＷＰの位置は、初期アクティブダウンリンクＢＷＰの最小インデックスを有するＰＲＢの周波数領域位置と、初期アクティブダウンリンクＢＷＰのＰＲＢ数とを含む、ＢＷＰ位置決定モジュールと、第１タイプの物理ダウンリンク制御チャネル（ＰＤＣＣＨ）の制御リソースセット（ＣＯＲＥＳＥＴ）の位置を決定するように構成されたＣＯＲＥＳＥＴ位置決定モジュールであって、ＣＯＲＥＳＥＴの位置は、ＣＯＲＥＳＥＴの最小インデックスを有するＰＲＢの周波数領域位置およびＣＯＲＥＳＥＴのＰＲＢ数、またはＣＯＲＥＳＥＴのビットマップベースのＰＲＢ位置を含む、ＣＯＲＥＳＥＴ位置決定モジュールと、を含む。
【００２２】
選択的に、ＢＷＰ位置決定モジュールは、同期信号ブロックの最小インデックスを有するＰＲＢの周波数領域位置と、初期アクティブダウンリンクＢＷＰの最小インデックスを有するＰＲＢの周波数領域位置との間の第１オフセットを、基地局から取得するように構成された第１のオフセット取得サブモジュールと、第１オフセットおよび同期信号ブロックの最小インデックスを有するＰＲＢの周波数領域位置に応じて、初期アクティブダウンリンクＢＷＰの最小インデックスを有するＰＲＢの周波数領域位置を決定するように構成された第１のＢＷＰ位置決定サブモジュールと、を含む。
【００２３】
選択的に、ＣＯＲＥＳＥＴ位置決定モジュールは、初期アクティブダウンリンクＢＷＰの最小インデックスを有するＰＲＢと、第１タイプのＰＤＣＣＨのＣＯＲＥＳＥＴの最小インデックスを有するＰＲＢとの間の第２オフセット、および初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置を決定するように構成された第１のＣＯＲＥＳＥＴ位置決定モジュールを含み、第２オフセットは、あらかじめ定められている、または基地局から取得される。
【００２４】
選択的に、ＣＯＲＥＳＥＴ位置決定モジュールは、同期信号ブロックの最小インデックスを有するＰＲＢと、第１タイプのＰＤＣＣＨのＣＯＲＥＳＥＴの最小インデックスを有するＰＲＢとの間の第３オフセット、および初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置を決定するように構成された第２のＣＯＲＥＳＥＴ位置決定モジュールを含み、第３オフセットは、基地局から取得される。
【００２５】
選択的に、初期アクティブダウンリンクＢＷＰのＰＲＢ数は、初期アクティブダウンリンクＢＷＰが配置されている周波数帯とあらかじめ設定された第１のマッピング関係を有しており、ＢＷＰ位置決定モジュールは、初期アクティブダウンリンクＢＷＰの最小インデックスを有するＰＲＢの周波数領域位置と、あらかじめ設定された第１のマッピング関係とに応じて、ＢＷＰのＰＲＢ数を決定するように構成された第１のＢＷＰ数決定サブモジュールを含む。
【００２６】
選択的に、初期アクティブダウンリンクＢＷＰのＰＲＢ数、初期アクティブダウンリンクＢＷＰが配置されている周波数帯、および初期アクティブダウンリンクＢＷＰのサブキャリア間隔は、あらかじめ設定された第２のマッピング関係を有しており、ＢＷＰ位置決定モジュールは、初期アクティブダウンリンクＢＷＰの最小インデックスを有するＰＲＢの周波数領域位置、サブキャリア間隔、およびあらかじめ設定された第２のマッピング関係に応じて、初期アクティブダウンリンクＢＷＰのＰＲＢ数を決定するように構成された第２のＢＷＰ数決定サブモジュールを含む。
【００２７】
選択的に、ＣＯＲＥＳＥＴ位置決定モジュールは、基地局から第１タイプのＰＤＣＣＨのＣＯＲＥＳＥＴのビットマップリソースユニットのビットマップを取得するように構成されたビットマップ取得サブモジュールであって、各ビットマップリソースユニットが少なくとも１つのＰＲＢを含み、ビットマップリソースユニットがビットマップ内のビットに対応する、ビットマップ取得サブモジュールと、ビットマップに応じて、第１タイプのＰＤＣＣＨのＣＯＲＥＳＥＴのビットマップベースのＰＲＢ位置を決定するように構成された、第１のＣＯＲＥＳＥＴ位置決定サブモジュールと、を含む。
【００２８】
選択的に、ＢＷＰ位置決定モジュールは、基地局から初期アクティブダウンリンクＢＷＰのＰＲＢ数を取得するように構成されたＢＷＰ数取得サブモジュールを含む。
【００２９】
選択的に、ＢＷＰ位置決定モジュールは、基地局からＣＯＲＥＳＥＴのＰＲＢ数を取得するように構成されたＣＯＲＥＳＥＴ数取得サブモジュールを含む。
【００３０】
選択的に、同期信号ブロックが配置されている所定のチャネルは、初期アクティブダウンリンクＢＷＰの最小インデックスを有するＰＲＢの周波数領域位置とあらかじめ設定された第３のマッピング関係を有しており、ＢＷＰ位置決定モジュールは、同期信号ブロックの最小インデックスを有するＰＲＢの周波数領域位置に応じて、同期信号ブロックが配置されている所定のチャネルを決定するように構成されたチャネル決定サブモジュールと、
所定のチャネルおよびあらかじめ設定された第３のマッピング関係に応じて、初期アクティブダウンリンクＢＷＰの最小インデックスを有するＰＲＢの周波数領域位置を決定するように構成された、第２のＢＷＰ位置決定サブモジュールと、を含む。
【００３１】
選択的に、同期信号ブロックが配置されている所定のチャネルは、初期アクティブダウンリンクＢＷＰのＰＲＢ数とあらかじめ設定された第４のマッピング関係を有しており、ＢＷＰ位置決定モジュールは、所定のチャネルおよびあらかじめ設定された第４のマッピング関係に応じて、初期アクティブダウンリンクＢＷＰのＰＲＢ数を決定するように構成された、第３のＢＷＰ数決定サブモジュールを含む。
【００３２】
選択的に、ＣＯＲＥＳＥＴ位置決定モジュールは、第１タイプのＰＤＣＣＨのＣＯＲＥＳＥＴの最小インデックスを有するＰＲＢの周波数領域位置を、初期アクティブダウンリンクＢＷＰの最小インデックスを有するＰＲＢの周波数領域位置と同じになるように決定するように構成された第３のＣＯＲＥＳＥＴ位置決定サブモジュールを含む。
【００３３】
選択的に、第１タイプのＰＤＣＣＨのＣＯＲＥＳＥＴのＰＲＢ数と、第１タイプのＰＤＣＣＨのＣＯＲＥＳＥＴの持続時間と、初期アクティブダウンリンクＢＷＰのサブキャリア間隔とが、あらかじめ設定された第５のマッピング関係を有しており、ＣＯＲＥＳＥＴ位置決定モジュールは、第１タイプのＰＤＣＣＨのＣＯＲＥＳＥＴの持続時間、初期アクティブダウンリンクＢＷＰのサブキャリア間隔、およびあらかじめ設定された第５のマッピング関係に応じて、第１タイプのＰＤＣＣＨのＣＯＲＥＳＥＴのＰＲＢ数を決定するように構成されている、第２のＣＯＲＥＳＥＴ数決定サブモジュールを含み、第１タイプのＰＤＣＣＨのＣＯＲＥＳＥＴのＰＲＢ数が、初期アクティブダウンリンクＢＷＰのＰＲＢ数と同じであり、第１タイプのＰＤＣＣＨのＣＯＲＥＳＥＴの持続時間があらかじめ定められている、または基地局から取得される。
【００３４】
選択的に、ＣＯＲＥＳＥＴ位置決定モジュールは、第１タイプのＰＤＣＣＨのＣＯＲＥＳＥＴの持続時間が２直交周波数分割多重（ＯＦＤＭ）シンボルであることに応じて、第１タイプのＰＤＣＣＨのモニタリング機会の開始シンボルがタイムスロット内のシンボル０および／またはシンボル７であることを決定するように構成された第３のＰＤＣＣＨ決定サブモジュールと、第１タイプのＰＤＣＣＨのＣＯＲＥＳＥＴの持続時間が１ＯＦＤＭシンボルであることに応じて、第１タイプのＰＤＣＣＨのモニタリング機会の開始シンボルがタイムスロット内のシンボル０および／またはシンボル１であることを決定するように構成された第４のＰＤＣＣＨ決定サブモジュールと、を含む。
【００３５】
本開示の一実施形態では、コンピュータ命令が格納された記憶媒体が提供され、コンピュータ命令が実行されると、上記のリソース情報決定方法が実行される。
【００３６】
本開示の一実施形態では、メモリとプロセッサを含むユーザ機器が提供され、メモリにはコンピュータ命令が格納されており、プロセッサがコンピュータ命令を実行すると、上記のリソース情報決定方法が実行される。
【００３７】
本開示の実施形態は、以下の利点を提供できる。
【００３８】
本開示の実施形態では、同期信号ブロックの最小インデックスを有するＰＲＢの周波数領域位置に応じて、初期アクティブダウンリンクＢＷＰの位置が決定され得、また、第１タイプのＰＤＣＣＨのＣＯＲＥＳＥＴの位置が決定され得る。実施形態によれば、ユーザ機器は、ＮＲアンライセンス周波数帯において、初期アクティブダウンリンクＢＷＰのリソース構成と、第１タイプのＰＤＣＣＨのリソース構成とを決定できる。
【００３９】
さらに、初期アクティブダウンリンクＢＷＰの位置は様々な方法で決定され得るため、ユーザ機器が特定の状況に応じて選択することが容易になり、ユーザエクスペリエンスを向上させることができる。
【００４０】
さらに、第１タイプのＰＤＣＣＨのＣＯＲＥＳＥＴの位置は、様々な方法で決定され得るため、ユーザ機器が特定の状況に応じて選択することが容易になり、ユーザエクスペリエンスを向上させることができる。
【図面の簡単な説明】
【００４１】
【図１】図１は、実施形態による第１のリソース情報決定方法のフローチャートを模式的に示したものである。
【図２】図２は、実施形態による第２のリソース情報決定方法のフローチャートを模式的に示したものである。
【図３】図３は、実施形態による第３のリソース情報決定方法のフローチャートを模式的に示したものである。
【図４】図４は、実施形態による第４のリソース情報決定方法のフローチャートを模式的に示したものである。
【図５】図５は、実施形態による第５のリソース情報決定方法のフローチャートを模式的に示したものである。
【図６】図６は、実施形態による第６のリソース情報決定方法のフローチャートを模式的に示したものである。
【図７】図７は、実施形態による第７のリソース情報決定方法のフローチャートを模式的に示したものである。
【図８】図８は、実施形態による第８のリソース情報決定方法のフローチャートを模式的に示したものである。
【図９】図９は、実施形態による第９のリソース情報決定方法のフローチャートを模式的に示したものである。
【図１０】図１０は、実施形態によるリソース情報決定装置の構造図を模式的に示したものである。
【発明を実施するための形態】
【００４２】
従来技術では、初期アクティブダウンリンクＢＷＰの位置は、通常、第１のタイプのＰＤＣＣＨのＣＯＲＥＳＥＴの位置と等しい。しかし、ＮＲアンライセンス周波数帯では、初期アクティブダウンリンクＢＷＰの位置が、第１タイプのＰＤＣＣＨのＣＯＲＥＳＥＴの位置と等しくない場合があり、ユーザ機器が初期アクティブダウンリンクＢＷＰのリソース構成と第１のタイプのＰＤＣＣＨのリソース構成を決定することが困難になる。
【００４３】
本開示の実施形態では、最小のインデックスを有する物理リソースブロック（Physical Resource Block：ＰＲＢ）は、第１のＰＲＢと呼ばれることもある。すなわち、同期信号ブロックの最小インデックスを有するＰＲＢは、同期信号ブロックの第１のＰＲＢと呼ばれることもある。初期アクティブダウンリンクＢＷＰの最小インデックスを有するＰＲＢは、初期アクティブダウンリンクＢＷＰの第１のＰＲＢと呼ばれることもある。第１のタイプのＰＤＣＣＨのＣＯＲＥＳＥＴの最小インデックスを有するＰＲＢは、第１のタイプのＰＤＣＣＨのＣＯＲＥＳＥＴの第１のＰＲＢと呼ばれることもある。
【００４４】
本開示の実施形態において、初期アクティブダウンリンクＢＷＰのＰＲＢ数は、初期アクティブダウンリンクＢＷＰの連続ＰＲＢ数とも呼ばれることがある。
【００４５】
本開示の実施形態において、同期信号ブロックの最小インデックスを有するＰＲＢは、同期信号ブロックとオーバーラップする共通リソースブロック（共通ＲＢ）上の最小インデックスを持つＰＲＢであってもよい。
【００４６】
本開示の実施形態では、ＰＲＢはリソースブロック（ＲＢ）と呼ばれることもある。
【００４７】
本開示の実施形態では、ビットマップリソースユニットは、ＰＲＢグループと呼ばれることもある。一般的に、ビットマップのビットが１であれば、ビットマップリソースユニットの１つまたは複数のＰＲＢがＣＯＲＥＳＥＴのＰＲＢであることを示し、ビットマップのビットが０であれば、ビットマップリソースユニットの１つまたは複数のＰＲＢがＣＯＲＥＳＥＴのＰＲＢではないことを示す。実施形態では、予め定められたチャネルは、予め決められた周波数範囲であってもよく、また、例えば、Ｗｉ−Ｆｉ（登録商標）技術で定められた２０ＭＨｚのチャネルなど、アンライセンス周波数帯の予め決められた周波数範囲であってもよい。
【００４８】
本開示の実施形態では、同期信号ブロックの最小インデックスを有するＰＲＢの周波数領域の位置に応じて、初期アクティブダウンリンクＢＷＰの位置が決定され、第１のタイプのＰＤＣＣＨのＣＯＲＥＳＥＴの位置も決定され得る。実施形態によれば、ユーザ機器は、ＮＲアンライセンス周波数帯において、初期アクティブダウンリンクＢＷＰのリソース構成と、第１タイプのＰＤＣＣＨのリソース構成を決定できる。
【００４９】
本開示の実施形態の目的、特徴および利点を明確にするために、本開示の実施形態を添付図面と併せて詳細に明確に説明する。
【００５０】
図１は、実施形態による第１のリソース情報決定方法のフローチャートを模式的に示したものである。図１を参照すると、第１のリソース情報決定方法は、Ｓ１１〜Ｓ１３を含む。
【００５１】
Ｓ１１では、同期信号ブロックの最小インデックスを有するＰＲＢの周波数領域位置が決定される。
【００５２】
Ｓ１２では、同期信号ブロックの最小インデックスを有するＰＲＢの周波数領域位置に応じて、初期アクティブダウンリンクＢＷＰの位置が決定され、初期アクティブダウンリンクＢＷＰの位置は、初期アクティブダウンリンクＢＷＰの最小インデックスを有するＰＲＢの周波数領域位置および初期アクティブダウンリンクＢＷＰのＰＲＢ数を含んでいる。
【００５３】
Ｓ１３では、第１のタイプのＰＤＣＣＨのＣＯＲＥＳＥＴの位置が決定され、ＣＯＲＥＳＥＴの位置は、ＣＯＲＥＳＥＴの最小インデックスを有するＰＲＢの周波数領域位置およびＣＯＲＥＳＥＴのＰＲＢ数、またはＣＯＲＥＳＥＴのビットマップベースのＰＲＢの位置を含む。
【００５４】
いくつかの実施形態では、ＣＯＲＥＳＥＴの位置は、ＣＯＲＥＳＥＴの最小インデックスを有するＰＲＢの周波数領域位置およびＣＯＲＥＳＥＴのＰＲＢの数に応じて決定され、ＣＯＲＥＳＥＴの位置は連続ＰＲＢであり、ＣＯＲＥＳＥＴのＰＲＢの数は連続的である。
【００５５】
いくつかの実施形態では、ＣＯＲＥＳＥＴの位置は、ＣＯＲＥＳＥＴのビットマップベースのＰＲＢ位置に応じて決定されるが、ＣＯＲＥＳＥＴの位置は、非連続ＰＲＢであってもよく、これはより柔軟性が高い。
【００５６】
いくつかの実施形態では、Ｓ１１において、同期信号ブロックの最小インデックスを有するＰＲＢの周波数領域位置が決定される。
【００５７】
５Ｇシステムでは、同期信号とブロードキャストチャネルは同期信号ブロックという形で伝送され、ビームスイーピングという処理が追加される。同期信号ブロック（ＳＳ／ＰＢＣＨブロック）は、プライマリ同期信号（Primary Synchronization Signal：ＰＳＳ）、セカンダリ同期信号（Secondary Synchronization Signal：ＳＳＳ）、物理ブロードキャストチャネル（Physical Broadcast Channel：ＰＢＣＨ）を含む。各同期信号ブロックは、ビームスイーピングプロセスにおける（アナログ領域の）ビームリソースとみなすことができる。複数の同期信号ブロックは、同期信号バースト（ＳＳバースト）を形成する。ＳＳバーストは、複数のビームを含む比較的集中したリソースブロックとみなすことができる。複数のＳＳバーストが、ＳＳバーストセットを形成する。同期信号ブロックは、異なるビームで繰り返し送信され、これがビームスイーピング処理である。ビームスイーピング処理により、ユーザ機器はどのビームで最も強い信号を受信しているかを認識できる。
【００５８】
具体的には、５ｍｓウィンドウ内のＬ個の同期信号ブロックの時間領域位置が固定される。Ｌ個の同期信号ブロックのインデックスは、０から（Ｌ−１）までの時間領域位置に連続して配置されている。そのため、５ｍｓウィンドウ内の各同期信号ブロックの送信時間は固定されており、同期信号ブロックのインデックスも固定されている。
【００５９】
いくつかの実施形態では、Ｓ１２において、初期アクティブダウンリンクＢＷＰの位置は、同期信号ブロックの最小インデックスを有するＰＲＢの周波数領域位置に応じて決定される。
【００６０】
具体的には、初期アクティブダウンリンクＢＷＰの位置は、異なる方法で決定されてもよく、例えば、初期アクティブダウンリンクＢＷＰの周波数領域位置は、基地局から提供されるオフセットに応じて決定されてもよく、初期アクティブダウンリンクＢＷＰのＰＲＢの数は、基地局から取得されてもよいが、これについては後の実施形態で詳細に説明する。
【００６１】
いくつかの実施形態では、Ｓ１３において、第１のタイプのＰＤＣＣＨのＣＯＲＥＳＥＴのビットマップベースのＰＲＢ位置が決定される。
【００６２】
具体的には、第１のタイプのＰＤＣＣＨのＣＯＲＥＳＥＴの位置は、異なる方法で決定されてもよい。例えば、ＣＯＲＥＳＥＴの位置は基地局から取得されてもよいし、または第１のタイプのＰＤＣＣＨのＣＯＲＥＳＥＴの周波数領域の位置は基地局から提供されたオフセットに応じて決定されてもよく、第１のタイプのＰＤＣＣＨのＣＯＲＥＳＥＴのＰＲＢ数は基地局から取得されてもよいし、または第１のタイプのＰＤＣＣＨのＣＯＲＥＳＥＴのビットマップベースのＰＲＢ位置はビットマップに応じて決定されてもよいが、これについては後の実施形態で詳細に説明する。
【００６３】
具体的には、第１タイプのＰＤＣＣＨは、ＲＭＳＩ  ＰＤＣＣＨであってもよい。ＮＲアンライセンス周波数帯では、ＲＭＳＩ  ＰＤＣＣＨのモニタリング・タイミングは、ＲＭＳＩ  ＰＤＣＣＨのＣＯＲＥＳＥＴ持続時間に関連しており、これにより、ＲＭＳＩ  ＰＤＣＣＨの時間領域リソースと同期信号ブロックが同じＳＳバースト内にあることが保証される。
【００６４】
いくつかの実施形態では、ＣＯＲＥＳＥＴを取得し、ＣＯＲＥＳＥＴの最小インデックスを有するＰＲＢの周波数領域の位置に応じて、ＲＭＳＩ  ＰＤＣＣＨを決定してもよい。そして、初期アクティブダウンリンクＢＷＰ上のＲＭＳＩ  ＰＤＣＣＨによってスケジューリングされたＰＤＳＣＨは、ＲＭＳＩ  ＰＤＣＣＨと、初期アクティブダウンリンクＢＷＰの最小インデックスを有するＰＲＢの周波数領域位置とに応じて受信されてもよい。
【００６５】
本開示の実施形態では、同期信号ブロックの最小インデックスを有するＰＲＢの周波数領域位置に応じて、初期アクティブダウンリンクＢＷＰの位置が決定され、第１タイプのＰＤＣＣＨのＣＯＲＥＳＥＴの位置も決定され得る。実施形態によれば、ユーザ機器は、ＮＲアンライセンス周波数帯において、初期アクティブダウンリンクＢＷＰのリソース構成および第１タイプのＰＤＣＣＨのリソース構成を決定できる。
【００６６】
図２は、実施形態による第２のリソース情報決定方法のフローチャートを模式的に示したものである。図２を参照すると、第２のリソース情報決定方法は、Ｓ２１〜Ｓ２５を含む。
【００６７】
Ｓ２１では、同期信号ブロックの最小インデックスを有するＰＲＢの周波数領域位置と、初期アクティブダウンリンクＢＷＰの最小インデックスを有するＰＲＢの周波数領域位置との間の第１オフセットが、基地局から取得される。
【００６８】
なお、同期信号ブロックの最小インデックスを有するＰＲＢの周波数領域位置は、検出によって得られる可能性があることに留意すべきである。より詳細な内容は、図１に示した方法の記載を参照でき、ここでは詳細には説明しない。
【００６９】
Ｓ２２では、第１オフセットおよび同期信号ブロックの最小インデックスを有するＰＲＢの周波数領域位置に応じて、初期アクティブダウンリンクＢＷＰの最小インデックスを有するＰＲＢの周波数領域位置を決定する。
【００７０】
Ｓ２３では、基地局から初期アクティブダウンリンクＢＷＰのＰＲＢ数が取得される。
【００７１】
一実施形態では、基地局から取得した数は、初期アクティブダウンリンクＢＷＰのＰＲＢ数である。
【００７２】
別の実施形態では、基地局から得られた数は、初期アクティブダウンリンクＢＷＰのリソースユニットの数であり、そして、ユーザ機器は、リソースユニットの数に応じてＰＲＢの数を決定する。
【００７３】
Ｓ２４では、第１のタイプのＰＤＣＣＨのＣＯＲＥＳＥＴのビットマップリソースユニットのビットマップが基地局から取得され、各ビットマップリソースユニットは少なくとも１つのＰＲＢを含み、ビットマップリソースユニットはビットマップ内のビットに対応している。
【００７４】
いくつかの実施形態では、ビットマップリソースユニットの開始位置は、基地局によって示されてもよく、または、初期アクティブダウンリンクＢＷＰの最小インデックスを有するＰＲＢの周波数領域位置であってもよい。
【００７５】
いくつかの実施形態では、第１タイプのＰＤＣＣＨのＣＯＲＥＳＥＴの周波数領域リソースは、連続的なものではなく、より高い自由度を有する。
【００７６】
なお、ビットマップリソースユニットは、ビットマップ内のビットに対応していることに注意が必要である。ビットマップ内の最小ユニットがビット以外の異なるユニットで表現されている場合、各ビットマップリソースユニットは、ビットマップ内の当該異なるユニットに対応する。
【００７７】
実施形態では、各ビットマップリソースユニットは、６つのＰＲＢを含む。
【００７８】
Ｓ２５では、ビットマップに応じて、第１タイプのＰＤＣＣＨのＣＯＲＥＳＥＴのビットマップベースのＰＲＢ位置が決定される。
【００７９】
いくつかの実施形態では、ユーザ機器は、ビットマップおよび第１のタイプのＰＤＣＣＨのＣＯＲＥＳＥＴのビットマップベースのＰＲＢ位置を通じて、ＣＯＲＥＳＥＴの位置を決定できる。
【００８０】
上述の実施形態によれば、第１オフセットを用いて、初期アクティブダウンリンクＢＷＰの最小インデックスを有するＰＲＢの周波数領域の位置を決定し、基地局から初期アクティブダウンリンクＢＷＰのＰＲＢ数を取得することで、初期アクティブダウンリンクＢＷＰの位置を決定し、さらに、第１のタイプのＰＤＣＣＨのＣＯＲＥＳＥＴのビットマップリソースユニットのビットマップを用いて、第１のタイプのＰＤＣＣＨのＣＯＲＥＳＥＴの位置を決定できる。
【００８１】
図３は、実施形態による第３のリソース情報決定方法のフローチャートを模式的に示したものである。図３を参照すると、第３のリソース情報決定方法は、Ｓ３１〜Ｓ３５を含む。
【００８２】
Ｓ３１では、同期信号ブロックの最小インデックスを有するＰＲＢの周波数領域位置と、初期アクティブダウンリンクＢＷＰの最小インデックスを有するＰＲＢの周波数領域位置との間の第１オフセットが、基地局から取得される。
【００８３】
Ｓ３２では、第１のオフセットおよび同期信号ブロックの最小インデックスを有するＰＲＢの周波数領域位置に応じて、初期アクティブダウンリンクＢＷＰの最小インデックスを有するＰＲＢの周波数領域位置が決定される。
【００８４】
なお、同期信号ブロックの最小インデックスを有するＰＲＢの周波数領域位置は、検出によって得られてもよいことに留意すべきである。Ｓ３１およびＳ３２の詳細については、図２に示したＳ２１およびＳ２２の説明を参照でき、ここでは詳細な説明を省略する。
【００８５】
Ｓ３３では、初期アクティブダウンリンクＢＷＰのＰＲＢ数が基地局から取得される。
【００８６】
一実施形態では、基地局から取得された数は、初期アクティブダウンリンクＢＷＰのＰＲＢ数である。
【００８７】
別の実施形態では、基地局から得られた数は、初期アクティブダウンリンクＢＷＰのリソースユニット数であり、そして、ユーザ機器は、リソースユニットの数に応じてＰＲＢの数を決定する。
【００８８】
Ｓ３４では、初期アクティブダウンリンクＢＷＰの最小インデックスを有するＰＲＢと、第１のタイプのＰＤＣＣＨのＣＯＲＥＳＥＴの最小インデックスを有するＰＲＢとの間の第２オフセット、および初期アクティブダウンリンクＢＷＰの最小インデックスを有するＰＲＢの周波数領域位置に応じて、第１のタイプのＰＤＣＣＨのＣＯＲＥＳＥＴの最小インデックスを有するＰＲＢの周波数領域位置が決定される。
【００８９】
具体的には、第２オフセットは、例えば、通信プロトコルで規定されたものであらかじめ定められてもよく、また、第２オフセットは、基地局から取得されてもよい。一般的に、第２オフセットがあらかじめ定められている場合、シグナリングオーバーヘッドは小さくなり、第２オフセットが基地局から取得される場合、シグナリングオーバーヘッドは大きくなるが、柔軟性は高くなる。
【００９０】
第２オフセットがあらかじめ定められている場合、第２オフセットは０としてあらかじめ定められてもよく、これによりシステムの実装が簡単になる。
【００９１】
Ｓ３５では、基地局からＣＯＲＥＳＥＴのＰＲＢ数が取得される。
【００９２】
一実施形態では、基地局から取得した数は、第１タイプのＰＤＣＣＨのＣＯＲＥＳＥＴのＰＲＢ数であってもよい。
【００９３】
別の実施形態では、基地局から取得した数は、第１のタイプのＰＤＣＣＨのＣＯＲＥＳＥＴのリソースユニット数であってもよく、そして、ユーザ機器は、リソースユニットの数に応じてＰＲＢ数を決定してもよく、ここで、ＣＯＲＥＳＥＴのリソースユニットはＣＯＲＥＳＥＴのビットマップリソースユニットと異なる。
【００９４】
上述の実施形態によれば、第１オフセットは、初期アクティブダウンリンクＢＷＰの最小インデックスを有するＰＲＢの周波数領域位置を決定するために使用され、初期アクティブダウンリンクＢＷＰのＰＲＢ数を基地局から取得することにより、初期アクティブダウンリンクＢＷＰの位置を決定できる。そして、第２オフセットは、第１のタイプのＰＤＣＣＨのＣＯＲＥＳＥＴの最小インデックスを有するＰＲＢの周波数領域位置を決定するために使用され、ＣＯＲＥＳＥＴのＰＲＢ数を基地局から取得することで、第１のタイプのＰＤＣＣＨのＣＯＲＥＳＥＴの位置を決定する。
【００９５】
図４は、実施形態による第４のリソース情報決定方法のフローチャートを模式的に示したものである。図４を参照すると、第４のリソース情報決定方法は、Ｓ４１〜Ｓ４５を含む。
【００９６】
Ｓ４１では、同期信号ブロックの最小インデックスを持つＰＲＢの周波数領域位置と、初期アクティブダウンリンクＢＷＰの最小インデックスを持つＰＲＢの周波数領域位置との間の第１オフセットが基地局から取得される。
【００９７】
Ｓ４２では、第１オフセットおよび同期信号ブロックの最小インデックスを有するＰＲＢの周波数領域位置に応じて、初期アクティブダウンリンクＢＷＰの最小インデックスを有するＰＲＢの周波数領域位置が決定される。
【００９８】
なお、同期信号ブロックの最小インデックスを有するＰＲＢの周波数領域位置は、検出によって得られてもよいことに留意すべきである。Ｓ４１およびＳ４２の詳細については、図２に示すＳ２１およびＳ２２の説明を参照でき、ここでは詳細な説明を省略する。
【００９９】
いくつかの実施形態では、初期アクティブダウンリンクＢＷＰの最小インデックスを有するＰＲＢの周波数領域位置と、初期アクティブダウンリンクＢＷＰが配置されている周波数帯域との間のマッピング関係が、テーブルまたはテキスト記述の形で予め定められている。具体的には、マッピング関係によれば、初期アクティブダウンリンクＢＷＰが配置される周波数帯が決定されると、初期アクティブダウンリンクＢＷＰの最小インデックスを有するＰＲＢの周波数領域位置が決定されてもよい。本開示の実施形態では、初期アクティブダウンリンクＢＷＰの最小インデックスを有するＰＲＢの周波数領域位置と、初期アクティブダウンリンクＢＷＰが配置されている周波数帯との間のマッピング関係は、予め定められたテーブルまたはテキストの記述に応じて決定され得る。
【０１００】
Ｓ４３では、初期アクティブダウンリンクＢＷＰのＰＲＢ数は、初期アクティブダウンリンクＢＷＰが配置されている周波数帯とあらかじめ設定された第１のマッピング関係を有しており、初期アクティブダウンリンクＢＷＰの最小インデックスを有するＰＲＢの周波数領域位置およびあらかじめ設定された第１のマッピング関係に応じて、初期アクティブダウンリンクＢＷＰのＰＲＢ数が決定される。
【０１０１】
いくつかの実施形態では、初期アクティブダウンリンクＢＷＰのＰＲＢ数と、初期アクティブダウンリンクＢＷＰが配置されている周波数帯との間のマッピング関係が、表またはテキストの記述の形で予め定められている。具体的には、マッピング関係に応じて、初期アクティブダウンリンクＢＷＰが配置される周波数帯が決定されると、初期アクティブダウンリンクＢＷＰのＰＲＢ数が決定されてもよい。本開示の実施形態では、初期アクティブダウンリンクＢＷＰのＰＲＢ数と、初期アクティブダウンリンクＢＷＰが配置されている周波数帯との間のあらかじめ設定された第１マッピング関係は、予め定められたテーブルまたはテキストの記述に応じて決定され得る。
【０１０２】
Ｓ４４では、第１タイプのＰＤＣＣＨのＣＯＲＥＳＥＴの最小インデックスを有するＰＲＢの周波数領域位置は、初期アクティブダウンリンクＢＷＰの最小インデックスを有するＰＲＢの周波数領域位置と同じであると決定される。
【０１０３】
具体的には、第１タイプのＰＤＣＣＨのＣＯＲＥＳＥＴの最小インデックスを有するＰＲＢの周波数領域位置を、初期アクティブダウンリンクＢＷＰの最小インデックスを有するＰＲＢの周波数領域の位置と同じであると設定することで、２つの周波数領域位置が同じである場合の先行技術の処理方法を使用でき、それによってシグナリングオーバーヘッドを削減し、リソースを節約できる。
【０１０４】
Ｓ４５では、基地局からＣＯＲＥＳＥＴのＰＲＢの数が取得される。
【０１０５】
一実施形態では、基地局から取得された数は、第１タイプのＰＤＣＣＨのＣＯＲＥＳＥＴのＰＲＢの数であってもよい。
【０１０６】
別の実施形態では、基地局から取得した数は、第１のタイプのＰＤＣＣＨのＣＯＲＥＳＥＴのリソースユニット数であってもよく、そして、ユーザ機器は、リソースユニットの数に応じてＰＲＢ数を決定してもよく、ここで、ＣＯＲＥＳＥＴのリソースユニットはＣＯＲＥＳＥＴのビットマップリソースユニットと異なる。
【０１０７】
上述の実施形態によれば、第１オフセットは、初期アクティブダウンリンクＢＷＰの最小インデックスを有するＰＲＢの周波数領域位置を決定するために使用される。さらに、初期アクティブダウンリンクＢＷＰのＰＲＢの数は、第１のマッピング関係に応じて決定され、それによって初期アクティブダウンリンクＢＷＰの位置が決定される。その後、第１タイプのＰＤＣＣＨのＣＯＲＥＳＥＴの最小インデックスを有するＰＲＢの周波数領域位置は、初期アクティブダウンリンクＢＷＰの最小インデックスを有するＰＲＢの周波数領域位置と同じになるように決定され、そして、ＣＯＲＥＳＥＴのＰＲＢ数を取得することで、第１タイプのＰＤＣＣＨのＣＯＲＥＳＥＴの位置が決定され得る。
【０１０８】
図５は、実施形態による第５のリソース情報決定方法のフローチャートを模式的に示したものである。図５を参照すると、第５のリソース情報決定方法は、Ｓ５１〜Ｓ５５を含む。
【０１０９】
Ｓ５１では、同期信号ブロックの最小インデックスを有するＰＲＢの周波数領域位置と、初期アクティブダウンリンクＢＷＰの最小インデックスを有するＰＲＢの周波数領域位置との間の第１オフセットが基地局から取得される。
【０１１０】
Ｓ５２では、第１オフセットおよび同期信号ブロックの最小インデックスを有するＰＲＢの周波数領域位置に応じて、初期アクティブダウンリンクＢＷＰの最小インデックスを有するＰＲＢの周波数領域位置が決定される。
【０１１１】
なお、同期信号ブロックの最小インデックスを有するＰＲＢの周波数領域の位置は、検出によって得られてもよい。Ｓ５１、Ｓ５２の詳細については、図２に示すＳ２１、Ｓ２２の説明を参照でき、ここでは詳細な説明を省略する。
【０１１２】
いくつかの実施形態では、初期アクティブダウンリンクＢＷＰの最小インデックスを有するＰＲＢの周波数領域位置と、初期アクティブダウンリンクＢＷＰが配置されている周波数帯域と、初期アクティブダウンリンクＢＷＰのサブキャリア間隔との間のマッピング関係が、テーブルまたはテキストの記述の形で予め定められている。具体的には、マッピング関係に応じて、初期アクティブダウンリンクＢＷＰでの周波数帯と初期アクティブダウンリンクＢＷＰのサブキャリア間隔が決定されると、初期アクティブダウンリンクＢＷＰの最小インデックスを有するＰＲＢの周波数領域位置が決定されてもよい。実施形態では、初期アクティブダウンリンクＢＷＰの最小インデックスを有するＰＲＢの周波数領域位置と、初期アクティブダウンリンクＢＷＰが配置されている周波数帯と、初期アクティブダウンリンクＢＷＰのサブキャリア間隔との間の予め設定された第２のマッピング関係が、予め定められたテーブルまたはテキストの記述に応じて決定され得る。
【０１１３】
Ｓ５３では、初期アクティブダウンリンクＢＷＰのＰＲＢ数、初期アクティブダウンリンクＢＷＰが配置されている周波数帯、および初期アクティブダウンリンクＢＷＰのサブキャリア間隔が、予め設定された第２のマッピング関係を有するように決定され、初期アクティブダウンリンクＢＷＰのＰＲＢ数が、初期アクティブダウンリンクＢＷＰの最小インデックスを有するＰＲＢの周波数領域位置、サブキャリア間隔、および予め設定された第２のマッピング関係に応じて、決定される。
【０１１４】
いくつかの実施形態では、初期アクティブダウンリンクＢＷＰのＰＲＢ数と、初期アクティブダウンリンクＢＷＰが配置されている周波数帯と、初期アクティブダウンリンクＢＷＰのサブキャリア間隔との間のマッピング関係が、テーブルまたはテキストの記述の形であらかじめ定義されている。具体的には、マッピング関係に応じて、初期アクティブダウンリンクＢＷＰでの周波数帯、および初期アクティブダウンリンクＢＷＰのサブキャリア間隔が決定されると、初期アクティブダウンリンクＢＷＰのＰＲＢ数が決定されてもよい。実施形態では、初期アクティブダウンリンクＢＷＰのＰＲＢ数と、初期アクティブダウンリンクＢＷＰが配置されている周波数帯と、初期アクティブダウンリンクＢＷＰのサブキャリア間隔との間の予め設定された第２のマッピング関係が、予め定義されたテーブルまたはテキストの記述によって決定され得る。
【０１１５】
Ｓ５４では、第１タイプのＰＤＣＣＨのＣＯＲＥＳＥＴの最小インデックスを有するＰＲＢの周波数領域位置は、初期アクティブダウンリンクＢＷＰの最小インデックスを有するＰＲＢの周波数領域位置と同じであると決定される。
【０１１６】
具体的には、第１タイプのＰＤＣＣＨのＣＯＲＥＳＥＴの最小インデックスを有するＰＲＢの周波数領域位置を、初期アクティブダウンリンクＢＷＰの最小インデックスを有するＰＲＢの周波数領域位置と同じにすることで、２つの周波数領域の位置が同じである場合の先行技術の処理方法を使用でき、シグナリングオーバーヘッドを削減し、リソースを節約できる。
【０１１７】
Ｓ５５では、基地局からＣＯＲＥＳＥＴのＰＲＢ数が取得される。
【０１１８】
一実施形態では、基地局から取得された数は、第１タイプのＰＤＣＣＨのＣＯＲＥＳＥＴのＰＲＢ数であってもよい。
【０１１９】
別の実施形態では、基地局から取得された数は、第１タイプのＰＤＣＣＨのＣＯＲＥＳＥＴのリソースユニット数であってもよく、そして、ユーザ機器は、リソースユニットの数に応じてＰＲＢ数を決定してもよく、ここで、ＣＯＲＥＳＥＴのリソースユニットは、ＣＯＲＥＳＥＴのビットマップリソースユニットと異なる。
【０１２０】
上述した実施形態によれば、第１オフセットは、初期アクティブダウンリンクＢＷＰの最小インデックスを有するＰＲＢの周波数領域の位置を決定するために使用され、さらに、第２のマッピング関係によって、初期アクティブダウンリンクＢＷＰのＰＲＢ数が決定され、これにより、初期アクティブダウンリンクＢＷＰの位置を決定する。その後、第１タイプのＰＤＣＣＨのＣＯＲＥＳＥＴの最小インデックスを有するＰＲＢの周波数領域位置が、初期アクティブダウンリンクＢＷＰの最小インデックスを有するＰＲＢの周波数領域位置と同じになるように決定され、ＣＯＲＥＳＥＴのＰＲＢ数を取得することで、第１タイプのＰＤＣＣＨのＣＯＲＥＳＥＴの位置は決定され得る。
【０１２１】
図６は、実施形態による第６のリソース情報決定方法のフローチャートを模式的に示したものである。図６を参照すると、第６のリソース情報決定方法は、Ｓ６１〜Ｓ６５を含む。
【０１２２】
Ｓ６１では、同期信号ブロックの最小インデックスを有するＰＲＢの周波数領域位置に応じて、同期信号ブロックが配置されている所定のチャネルが決定される。
【０１２３】
いくつかの実施形態では、同期信号ブロックが配置されている所定のチャネルを決定することは、どの所定のチャネルが同期信号ブロックを含むか、または同期信号ブロックと重なるかを決定することであってもよい。
【０１２４】
いくつかの実施形態では、所定のチャネルは、所定の周波数範囲であってもよい。具体的には、所定のチャネルは、例えば、Ｗｉ−Ｆｉ（登録商標）技術で定められた２０ＭＨｚのチャンネルのように、アンライセンス周波数帯での予め定められた周波数範囲であってもよい。
【０１２５】
いくつかの実施形態では、初期アクティブダウンリンクＢＷＰの周波数領域位置について、ユーザ機器は、同期信号ブロックの周波数領域位置を取得した後に、同期信号ブロックが配置されている所定のチャネルを導出してもよい。なお、同期信号ブロックの最小インデックスを有するＰＲＢの周波数領域位置は、検出によって得られてもよいことに留意すべきである。
【０１２６】
Ｓ６２では、同期信号ブロックが配置されている所定のチャネルは、初期アクティブダウンリンクＢＷＰの最小インデックスを有するＰＲＢの周波数領域位置と、予め設定された第３のマッピング関係を有している。所定のチャネルと予め設定された第３のマッピング関係に応じて、初期アクティブダウンリンクＢＷＰの最小インデックスを有するＰＲＢの周波数領域位置が決定される。
【０１２７】
いくつかの実施形態では、所定のチャネルおよび初期アクティブダウンリンクＢＷＰのすべてのＰＲＢの位置は、あらかじめ決定されてもよく、またはテーブルにあらかじめ定められてもよく、ユーザ機器は、基地局によって示されたテーブルの行または列を使用して、所定のチャネルと初期アクティブダウンリンクＢＷＰのすべてのＰＲＢの位置との間の特定の関係を得ることができる。
【０１２８】
いくつかの実施形態では、初期アクティブダウンリンクＢＷＰの最小インデックスを有するＰＲＢの周波数領域位置と、同期信号ブロックが配置されている所定のチャネルとの間のマッピング関係が、テーブルまたはテキスト記述の形であらかじめ定められている。本開示の実施形態では、初期アクティブダウンリンクＢＷＰの最小インデックスを有するＰＲＢの周波数領域位置と、同期信号ブロックが配置されている所定のチャネルとの間のあらかじめ設定された第３マッピング関係は、あらかじめ定められたテーブルまたはテキスト記述に従って決定できる。
【０１２９】
Ｓ６３では、同期信号ブロックが配置されている所定のチャネルは、初期アクティブダウンリンクＢＷＰのＰＲＢ数と予め設定された第４のマッピング関係を有しており、予め設定された第４のマッピング関係と所定のチャネルとに応じて、初期アクティブダウンリンクＢＷＰのＰＲＢ数が決定される。
【０１３０】
いくつかの実施形態では、同期信号ブロックが配置されている所定のチャネルと、初期アクティブダウンリンクＢＷＰのＰＲＢ数との間のマッピング関係が、テーブルまたはテキスト記述の形であらかじめ定められている。本開示の実施形態では、同期信号ブロックが配置されている所定のチャネルと、初期アクティブダウンリンクＢＷＰのＰＲＢ数との間の事前設定された第４のマッピング関係は、あらかじめ定められたテーブルまたはテキストの記述に従って決定され得る。
【０１３１】
Ｓ６４では、第１タイプのＰＤＣＣＨのＣＯＲＥＳＥＴのビットマップリソースユニットのビットマップが基地局から取得され、各ビットマップリソースユニットは、ビットマップのビットに対応する１つ以上のＰＲＢビットマップリソースユニットを含む。
【０１３２】
いくつかの実施形態では、ビットマップリソースユニットの開始位置は、基地局によって示されてもよく、または、初期アクティブダウンリンクＢＷＰの最小インデックスを有するＰＲＢの周波数領域位置であってもよい。
【０１３３】
いくつかの実施形態では、第１タイプのＰＤＣＣＨのＣＯＲＥＳＥＴの周波数領域リソースは、連続的なものではなく、より高い自由度を有する。
【０１３４】
なお、ビットマップリソースユニットは、ビットマップ内のビットに対応していることに留意すべきである。ビットマップ内の最小ユニットがビット以外の異なるユニットで表現されている場合、各ビットマップリソースユニットは、ビットマップ内の当該異なるユニットに対応する。
【０１３５】
実施形態では、各ビットマップリソースユニットは、６つのＰＲＢを含む。
【０１３６】
Ｓ６５では、ビットマップに応じて、第１タイプのＰＤＣＣＨのＣＯＲＥＳＥＴのビットマップベースのＰＲＢ位置が決定される。
【０１３７】
いくつかの実施形態では、ユーザ機器は、ビットマップおよび第１のタイプのＰＤＣＣＨのＣＯＲＥＳＥＴのビットマップベースのＰＲＢ位置を通じて、ＣＯＲＥＳＥＴの位置を決定できる。
【０１３８】
上述した実施形態によれば、予め設定された第３のマッピング関係に従って、初期アクティブダウンリンクＢＷＰの最小インデックスを有するＰＲＢの周波数領域位置が決定され、さらに、予め設定された第４のマッピング関係に従って、初期アクティブダウンリンクＢＷＰのＰＲＢ数が決定され、そして、第１タイプのＰＤＣＣＨのＣＯＲＥＳＥＴのビットマップリソースユニットのビットマップに従って、第１タイプのＰＤＣＣＨのＣＯＲＥＳＥＴの位置が決定される。
【０１３９】
図７は、実施形態による第７のリソース情報決定方法のフローチャートを模式的に示したものである。図７を参照すると、第７のリソース情報決定方法は、Ｓ７１〜Ｓ７５を含む。
【０１４０】
Ｓ７１では、同期信号ブロックの最小インデックスを有するＰＲＢの周波数領域位置に応じて、同期信号ブロックが配置されている所定のチャネルが決定される。
【０１４１】
いくつかの実施形態では、同期信号ブロックが配置されている所定のチャネルを決定することは、どの所定のチャネルが同期信号ブロックを含むか、または同期信号ブロックと重なるかを決定することであってもよい。
【０１４２】
Ｓ７２では、同期信号ブロックが配置されている所定のチャネルは、初期アクティブダウンリンクＢＷＰの最小インデックスを有するＰＲＢの周波数領域位置と、予め設定された第３のマッピング関係を有する。所定のチャネルと予め設定された第３のマッピング関係に従って、初期アクティブダウンリンクＢＷＰの最小インデックスを有するＰＲＢの周波数領域位置が決定される。
【０１４３】
いくつかの実施形態では、所定のチャネルは、所定の周波数範囲であってもよい。具体的には、所定のチャンネルは、例えば、Ｗｉ−Ｆｉ（登録商標）技術で定められた２０ＭＨｚのチャネルのように、アンライセンス周波数帯でのあらかじめ定められた周波数範囲であってもよい。
【０１４４】
Ｓ７３では、同期信号ブロックが配置されている所定のチャネルは、初期アクティブダウンリンクＢＷＰのＰＲＢ数と予め設定された第４のマッピング関係を有しており、予め設定された第４のマッピング関係と所定のチャネルとに応じて、初期アクティブダウンリンクＢＷＰのＰＲＢ数が決定される。
【０１４５】
なお、同期信号ブロックの最小インデックスを有するＰＲＢの周波数領域位置は、検出によって得られてもよいことに留意すべきである。Ｓ７１〜Ｓ７３の詳細については、図６に示すＳ６１〜Ｓ６３の説明を参照でき、ここでは詳細な説明を省略する。
【０１４６】
Ｓ７４において、初期アクティブダウンリンクＢＷＰの最小インデックスを有するＰＲＢと、第１タイプのＰＤＣＣＨのＣＯＲＥＳＥＴの最小インデックスを有するＰＲＢとの間の第２オフセットに応じて、そして、初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置が決定される。
【０１４７】
具体的には、第２オフセットは、あらかじめ定められてもよく、例えば、通信プロトコルで規定されたものであってもよいし、または第２オフセットは、基地局から取得されてもよい。
【０１４８】
Ｓ７５では、基地局からＣＯＲＥＳＥＴのＰＲＢ数が取得される。
【０１４９】
一実施形態では、基地局から取得された数は、第１タイプのＰＤＣＣＨのＣＯＲＥＳＥＴのＰＲＢ数であってもよい。
【０１５０】
別の実施形態では、基地局から取得された数は、第１タイプのＰＤＣＣＨのＣＯＲＥＳＥＴのリソースユニット数であってもよく、そして、ユーザ機器は、リソースユニットの数に応じてＰＲＢ数を決定してもよく、ここで、ＣＯＲＥＳＥＴのリソースユニットはＣＯＲＥＳＥＴのビットマップリソースユニットと異なる。
【０１５１】
上述した実施形態によれば、予め設定された第３のマッピング関係に従って、初期アクティブダウンリンクＢＷＰの最小インデックスを有するＰＲＢの周波数領域位置が決定され、次に、予め設定された第４のマッピング関係に従って、初期アクティブダウンリンクＢＷＰのＰＲＢ数が決定される。そして、第２オフセットに従って、第１タイプのＰＤＣＣＨのＣＯＲＥＳＥＴの最小インデックスを有するＰＲＢの周波数領域位置が決定され、ＣＯＲＥＳＥＴのＰＲＢ数が基地局から取得され、それによって第１タイプのＰＤＣＣＨのＣＯＲＥＳＥＴの位置が決定される。
【０１５２】
図８は、実施形態による第８のリソース情報決定方法のフローチャートを模式的に示したものである。図８を参照すると、第８のリソース情報決定方法は、Ｓ８１〜Ｓ８５を含む。
【０１５３】
Ｓ８１では、同期信号ブロックの最小インデックスを有するＰＲＢの周波数領域位置に応じて、同期信号ブロックが配置されている所定のチャネルが決定される。
【０１５４】
いくつかの実施形態では、同期信号ブロックが配置されている所定のチャネルを決定することは、どの所定のチャネルが同期信号ブロックを含むか、または同期信号ブロックと重なるかを決定することであってもよい。いくつかの実施形態では、所定のチャネルは、所定の周波数範囲であってもよい。具体的には、所定のチャンネルは、例えば、Ｗｉ−Ｆｉ（登録商標）技術で定められた２０ＭＨｚのチャンネルのように、アンライセンス周波数帯で予め定められた周波数範囲であってもよい。
【０１５５】
Ｓ８２において、同期信号ブロックが配置されている所定のチャネルは、初期アクティブダウンリンクＢＷＰの最小インデックスを有するＰＲＢの周波数領域位置と、予め設定された第３のマッピング関係を有している。所定のチャネルおよび予め設定された第３のマッピング関係に従って、初期アクティブダウンリンクＢＷＰの最小インデックスを有するＰＲＢの周波数領域位置が決定される。
【０１５６】
Ｓ８３では、同期信号ブロックが配置されている所定のチャネルは、初期アクティブダウンリンクＢＷＰのＰＲＢ数と予め設定された第４のマッピング関係を有しており、予め設定された第４のマッピング関係および所定のチャネルに応じて、初期アクティブダウンリンクＢＷＰのＰＲＢ数が決定される。
【０１５７】
なお、同期信号ブロックの最小インデックスを有するＰＲＢの周波数領域位置は、検出によって得られてもよいことに留意すべきである。Ｓ８１〜Ｓ８３の詳細については、図６に示すＳ６１〜Ｓ６３の説明を参照でき、ここでは詳細な説明を省略する。
【０１５８】
Ｓ８４では、同期信号ブロックの最小インデックスを有するＰＲＢと、第１タイプのＰＤＣＣＨのＣＯＲＥＳＥＴの最小インデックスを有するＰＲＢとの間の第３オフセットに応じて、そして、初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置が決定される。
【０１５９】
いくつかの実施形態では、第３オフセットは、基地局から取得される。
【０１６０】
Ｓ８５では、ＣＯＲＥＳＥＴのＰＲＢ数は基地局から取得される。
【０１６１】
一実施形態では、基地局から取得された数は、第１タイプのＰＤＣＣＨのＣＯＲＥＳＥＴのＰＲＢ数であってもよい。
【０１６２】
別の実施形態では、基地局から取得された数は、第１のタイプのＰＤＣＣＨのＣＯＲＥＳＥＴのリソースユニット数であってもよく、そして、ユーザ機器は、リソースユニットの数に応じてＰＲＢの数を決定してもよく、ここで、ＣＯＲＥＳＥＴのリソースユニットはＣＯＲＥＳＥＴのビットマップリソースユニットと異なる。
【０１６３】
上述した実施形態によれば、予め設定された第３のマッピング関係に従って、初期アクティブダウンリンクＢＷＰの最小インデックスを有するＰＲＢの周波数領域位置が決定され、次に、予め設定された第４のマッピング関係に従って、初期アクティブダウンリンクＢＷＰのＰＲＢ数が決定される。次に、第３オフセットに従って、第１タイプのＰＤＣＣＨのＣＯＲＥＳＥＴの最小インデックスを有するＰＲＢの周波数領域位置が決定され、ＣＯＲＥＳＥＴのＰＲＢ数が基地局から取得され、それによって第１タイプのＰＤＣＣＨのＣＯＲＥＳＥＴの位置を決定する。
【０１６４】
図９は、実施形態による第９のリソース情報決定方法のフローチャートを模式的に示したものである。図９を参照すると、第９のリソース情報決定方法は、Ｓ９１〜Ｓ９５を含む。
【０１６５】
Ｓ９１では、同期信号ブロックの最小インデックスを有するＰＲＢの周波数領域位置と、初期アクティブダウンリンクＢＷＰの最小インデックスを有するＰＲＢの周波数領域位置との間の第１オフセットが基地局から取得される。
【０１６６】
Ｓ９２では、第１オフセットおよび同期信号ブロックの最小インデックスを有するＰＲＢの周波数領域位置に応じて、初期アクティブダウンリンクＢＷＰの最小インデックスを有するＰＲＢの周波数領域位置が決定される。
【０１６７】
なお、同期信号ブロックの最小インデックスを有するＰＲＢの周波数領域位置は、検出によって得られてもよいことに留意すべきである。Ｓ９１およびＳ９２の詳細については、図２に示すＳ２１およびＳ２２の説明を参照でき、ここでは詳細な説明を省略する。
【０１６８】
Ｓ９３では、第１タイプのＰＤＣＣＨのＣＯＲＥＳＥＴの最小インデックスを有するＰＲＢの周波数領域位置が、初期アクティブダウンリンクＢＷＰの最小インデックスを有するＰＲＢの周波数領域の位置と同じであると判断される。
【０１６９】
具体的には、第１タイプのＰＤＣＣＨのＣＯＲＥＳＥＴの最小インデックスを有するＰＲＢの周波数領域位置を、初期アクティブダウンリンクＢＷＰの最小インデックスを有するＰＲＢの周波数領域位置と同じに設定することで、２つの周波数領域位置が同じである場合の先行技術の処理方法を使用でき、シグナリングオーバヘッドを削減し、リソースを節約できる。
【０１７０】
Ｓ９４では、第１タイプのＰＤＣＣＨのＣＯＲＥＳＥＴのＰＲＢ数と、第１タイプのＰＤＣＣＨのＣＯＲＥＳＥＴの持続時間と、初期アクティブダウンリンクＢＷＰのサブキャリア間隔とが、予め設定された第５のマッピング関係を有しており、第１タイプのＰＤＣＣＨのＣＯＲＥＳＥＴの持続時間と、初期アクティブダウンリンクＢＷＰのサブキャリア間隔と、予め設定された第５のマッピング関係とに応じて、第１タイプのＰＤＣＣＨのＣＯＲＥＳＥＴのＰＲＢ数が決定される。
【０１７１】
いくつかの実施形態では、第１タイプのＰＤＣＣＨのＣＯＲＥＳＥＴのＰＲＢ数と、第１タイプのＰＤＣＣＨのＣＯＲＥＳＥＴの持続時間と、初期アクティブダウンリンクＢＷＰのサブキャリア間隔との間のマッピング関係が、テーブルまたはテキスト記述の形式で予め定められる。本開示の実施形態では、第１タイプのＰＤＣＣＨのＣＯＲＥＳＥＴのＰＲＢ数と、第１タイプのＰＤＣＣＨのＣＯＲＥＳＥＴの持続時間と、初期アクティブダウンリンクＢＷＰのサブキャリア間隔との間の予め設定された第５のマッピング関係は、予め定められたテーブルまたはテキストの記述に従って決定され得る。
【０１７２】
いくつかの実施形態では、初期アクティブダウンリンクＢＷＰの周波数領域位置は、ＲＭＳＩ  ＰＤＣＣＨのＣＯＲＥＳＥＴの周波数領域位置と同じである。しかし、ユーザ機器のブラインド検出の複雑さを軽減するため、ＲＭＳＩ  ＰＤＣＣＨのＣＯＲＥＳＥＴの周波数領域リソースを制限する必要がある。
【０１７３】
実施形態では、サブキャリア間隔が３０ｋＨｚの場合、２０ＭＨｚの帯域幅内に約５１個のＰＲＢが存在するため、ＲＭＳＩ  ＰＤＣＣＨのＣＯＲＥＳＥＴの持続時間が１ＯＦＤＭ（直交周波数分割多重：Orthogonal Frequency Division Multiplexing）シンボルの場合、ＲＭＳＩ  ＰＤＣＣＨのＣＯＲＥＳＥＴのＰＢＲの数は４８個である。また、ＲＭＳＩ  ＰＤＣＣＨのＣＯＲＥＳＥＴの継続時間が２ＯＦＤＭシンボルの場合、ＲＭＳＩ  ＰＤＣＣＨのＣＯＲＥＳＥＴのＰＢＲの数は２４個である。
【０１７４】
別の実施形態では、サブキャリア間隔が６０ｋＨｚの場合、２０ＭＨｚの帯域幅内に約２４個のＰＲＢが存在するため、ＲＭＳＩ  ＰＤＣＣＨのＣＯＲＥＳＥＴの持続時間が１ＯＦＤＭシンボルの場合、ＲＭＳＩ  ＰＤＣＣＨのＣＯＲＥＳＥＴのＰＢＲの数は２４個である。ＲＭＳＩ  ＰＤＣＣＨのＣＯＲＥＳＥＴの持続時間が２ＯＦＤＭシンボルの場合、ＲＭＳＩ  ＰＤＣＣＨのＣＯＲＥＳＥＴのＰＢＲ数は１２個または２４個である。
【０１７５】
具体的には、ＣＯＲＥＳＥＴの継続時間は、あらかじめ定められているか、または基地局から取得される。
【０１７６】
Ｓ９５では、第１タイプのＰＤＣＣＨのＣＯＲＥＳＥＴのＰＲＢ数は、初期アクティブダウンリンクＢＷＰのＰＲＢ数と同じであると決定する。
【０１７７】
具体的には、第１タイプのＰＤＣＣＨのＣＯＲＥＳＥＴの最小インデックスを有するＰＲＢの周波数領域位置を、初期アクティブダウンリンクＢＷＰの最小インデックスを有するＰＲＢの周波数領域位置と同じに設定することで、２つの周波数領域位置が同じである場合の先行技術の処理方法を使用でき、シグナリングオーバヘッドを削減し、リソースを節約できる。
【０１７８】
上述した実施形態によれば、初期アクティブダウンリンクＢＷＰの最小インデックスを有するＰＲＢの周波数領域位置が第１オフセットに従って決定され、次に、ＣＯＲＥＳＥＴのＰＲＢ数が予め設定された第５のマッピング関係に従って決定される。次に、第１のタイプのＰＤＣＣＨのＣＯＲＥＳＥＴの最小インデックスを有するＰＲＢの周波数領域位置が、初期アクティブダウンリンクＢＷＰの最小インデックスを有するＰＲＢの周波数領域位置と同じになるように決定され、ＣＯＲＥＳＥＴのＰＲＢの数が、初期アクティブダウンリンクＢＷＰのＰＲＢの数と同じになるように決定され、これにより、初期アクティブダウンリンクＢＷＰの位置および第１のタイプのＰＤＣＣＨのＣＯＲＥＳＥＴの位置を決定する。
【０１７９】
さらに、第１タイプのＰＤＣＣＨのＣＯＲＥＳＥＴの位置を決定することは、第１タイプのＰＤＣＣＨのＣＯＲＥＳＥＴの周波数領域位置を決定することを含む。
【０１８０】
いくつかの実施形態では、第１タイプのＰＤＣＣＨのＣＯＲＥＳＥＴの周波数領域位置を決定することは、第１タイプのＰＤＣＣＨのＣＯＲＥＳＥＴの持続時間が２ＯＦＤＭシンボルであることに応じて、第１タイプのＰＤＣＣＨのモニタリング機会の開始シンボルが、タイムスロット内のシンボル０および／またはシンボル７であると決定することと、第１タイプのＰＤＣＣＨのＣＯＲＥＳＥＴの持続時間が１ＯＦＤＭシンボルであることに応じて、第１タイプのＰＤＣＣＨのモニタリング機会の開始シンボルが、タイムスロット内のシンボル０および／またはシンボル１であると決定することと、を含む。
【０１８１】
上述した実施形態によれば、第１タイプのＰＤＣＣＨのＣＯＲＥＳＥＴの時間領域位置、ＣＯＲＥＳＥＴの最小インデックスを有するＰＲＢの周波数領域位置、およびＣＯＲＥＳＥＴのＰＲＢの数を決定することにより、第１タイプのＰＤＣＣＨのＣＯＲＥＳＥＴのリソース情報をより完全に決定できる。
【０１８２】
上述した実施形態によれば、初期アクティブダウンリンクＢＷＰの位置が様々な方法で決定され得、ユーザ機器が特定の状況に応じて選択することが容易になり、ユーザエクスペリエンスを向上させることができる。
【０１８３】
上述した実施形態によれば、第１タイプのＰＤＣＣＨのＣＯＲＥＳＥＴの位置が様々な方法で決定され得、ユーザ機器が特定の状況に応じて選択することが容易になり、ユーザーエクスペリエンスを向上させることができる。
【０１８４】
なお、図１から図９に関連して本開示の実施形態で説明したリソース情報の決定方法が実施される場合、ユーザー機器は特定の状況に応じて１つまたは複数のパラメータの決定方法を調整してもよいことに留意すべきであり、それは本開示の範囲内である。
【０１８５】
図１０を参照すると、図１０は、実施形態によるリソース情報決定装置の構造図を模式的に示したものである。リソース情報決定装置は、
同期信号ブロックの最小インデックスを有するＰＲＢの周波数領域位置を決定するように構成されている、同期信号ブロック位置決定モジュール１０１と、
同期信号ブロックの最小インデックスを有するＰＲＢの周波数領域位置に応じて、初期アクティブダウンリンク帯域幅部分（ＢＷＰ）の位置を決定するように構成されたＢＷＰ位置決定モジュール１０２であって、初期アクティブダウンリンクＢＷＰの位置は、初期アクティブダウンリンクＢＷＰの最小インデックスを有するＰＲＢの周波数領域位置と、初期アクティブダウンリンクＢＷＰのＰＲＢ数とを含む、ＢＷＰ位置決定モジュール１０２と、
第１タイプのＰＤＣＣＨのＣＯＲＥＳＥＴの位置を決定するように構成されたＣＯＲＥＳＥＴ位置決定モジュール１０３であって、ＣＯＲＥＳＥＴの位置は、ＣＯＲＥＳＥＴの最小インデックスを有するＰＲＢの周波数領域位置およびＣＯＲＥＳＥＴのＰＲＢ数、またはＣＯＲＥＳＥＴのビットマップベースのＰＲＢ位置を含む、ＣＯＲＥＳＥＴ位置決定モジュール１０３と、
を含む。
【０１８６】
いくつかの実施形態では、ＢＷＰ位置決定モジュール１０２は、同期信号ブロックの最小インデックスを有するＰＲＢの周波数領域位置と、初期アクティブダウンリンクＢＷＰの最小インデックスを有するＰＲＢの周波数領域位置との間の第１オフセットを基地局から取得するように構成された、第１オフセット取得サブモジュールと、第１オフセットおよび同期信号ブロックの最小インデックスを有するＰＲＢの周波数領域位置に応じて、初期アクティブダウンリンクＢＷＰの最小インデックスを有するＰＲＢの周波数領域位置を決定するように構成された、第１のＢＷＰ位置決定サブモジュールとを含む。
【０１８７】
いくつかの実施形態では、ＣＯＲＥＳＥＴ位置決定モジュール１０３は、初期アクティブダウンリンクＢＷＰの最小インデックスを有するＰＲＢと第１タイプのＰＤＣＣＨのＣＯＲＥＳＥＴの最小インデックスを有するＰＲＢとの間の第２オフセット、および初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置を決定するように構成された第１のＣＯＲＥＳＥＴ位置決定モジュールを含み、ここで、第２オフセットは、予め定められているか、または基地局から取得される。
【０１８８】
いくつかの実施形態では、ＣＯＲＥＳＥＴ位置決定モジュール１０３は、同期信号ブロックの最小インデックスを有するＰＲＢと、第１のタイプのＰＤＣＣＨのＣＯＲＥＳＥＴの最小インデックスを有するＰＲＢとの間の第３オフセット、および初期アクティブダウンリンクＢＷＰの最小インデックスを有するＰＲＢの周波数領域位置に応じて、第１タイプのＰＤＣＣＨのＣＯＲＥＳＥＴの最小インデックスを有するＰＲＢの周波数領域位置を決定するように構成された第２のＣＯＲＥＳＥＴ位置決定モジュールを含み、ここで、第３オフセットは、基地局から取得される。
【０１８９】
いくつかの実施形態では、初期アクティブダウンリンクＢＷＰのＰＲＢ数は、初期アクティブダウンリンクＢＷＰが配置されている周波数帯域とのあらかじめ設定された第１のマッピング関係を有し、ＢＷＰ位置決定モジュール１０２は、初期アクティブダウンリンクＢＷＰの最小インデックスを有するＰＲＢの周波数領域位置およびあらかじめ設定された第１のマッピング関係に応じて、初期アクティブダウンリンクＢＷＰのＰＲＢ数を決定するように構成された、第１のＢＷＰ数決定サブモジュール、を含む。
【０１９０】
いくつかの実施形態では、初期アクティブダウンリンクＢＷＰのＰＲＢ数、初期アクティブダウンリンクＢＷＰが位置する周波数帯域、および初期アクティブダウンリンクＢＷＰのサブキャリア間隔は、あらかじめ設定された第２のマッピング関係を有し、ＢＷＰ位置決定モジュール１０２は、初期アクティブダウンリンクＢＷＰの最小インデックスを有するＰＲＢの周波数領域位置、サブキャリア間隔、およびあらかじめ設定された第２のマッピング関係に応じて、初期アクティブダウンリンクＢＷＰのＰＲＢ数を決定するように構成された、第２のＢＷＰ数決定サブモジュールを含む。
【０１９１】
いくつかの実施形態では、ＣＯＲＥＳＥＴ位置決定モジュール１０３は、基地局から第１のタイプのＰＤＣＣＨのＣＯＲＥＳＥＴのビットマップリソースユニットのビットマップを取得するように構成されたビットマップ取得サブモジュールであって、各ビットマップリソースユニットは、少なくとも１つのＰＲＢを含み、ビットマップリソースユニットは、ビットマップ内のビットに対応する、ビットマップ取得サブモジュールと、ビットマップに応じて、第１タイプのＰＤＣＣＨのＣＯＲＥＳＥＴのビットマップベースのＰＲＢ位置を決定するように構成された第１のＣＯＲＥＳＥＴ位置決定サブモジュールと、を含む。
【０１９２】
いくつかの実施形態では、ＢＷＰ位置決定モジュール１０２は、基地局から初期アクティブダウンリンクＢＷＰのＰＲＢ数を取得するように構成された、ＢＷＰ数取得サブモジュール、を含む。
【０１９３】
いくつかの実施形態では、ＢＷＰ位置決定モジュール１０２は、基地局からＣＯＲＥＳＥＴのＰＲＢ数を取得するように構成された、ＣＯＲＥＳＥＴ数取得サブモジュールと、を含む。
【０１９４】
いくつかの実施形態では、同期信号ブロックが配置されている所定のチャネルは、初期アクティブダウンリンクＢＷＰの最小インデックスを有するＰＲＢの周波数領域位置とあらかじめ設定された第３のマッピング関係を有しており、ＢＷＰ位置決定モジュール１０２は、同期信号ブロックの最小インデックスを有するＰＲＢの周波数領域位置に応じて、同期信号ブロックが配置されている所定のチャネルを決定するように構成されたチャネル決定サブモジュールと、所定のチャネルおよびあらかじめ設定された第３のマッピング関係に応じて、初期アクティブダウンリンクＢＷＰの最小インデックスを有するＰＲＢの周波数領域位置を決定するように構成された第２のＢＷＰ位置決定サブモジュールと、を含む。
【０１９５】
いくつかの実施形態では、同期信号ブロックが配置されている所定のチャネルは、初期アクティブダウンリンクＢＷＰのＰＲＢ数とあらかじめ設定された第４のマッピング関係を有し、ＢＷＰ位置決定モジュール１０２は、所定のチャネルおよびあらかじめ設定された第４のマッピング関係に応じて、初期アクティブダウンリンクＢＷＰのＰＲＢ数を決定するように構成された、第３のＢＷＰ数決定サブモジュールを含む。
【０１９６】
いくつかの実施形態では、ＣＯＲＥＳＥＴ位置決定モジュール１０３は、第１タイプのＰＤＣＣＨのＣＯＲＥＳＥＴの最小インデックスを有するＰＲＢの周波数領域位置を、初期アクティブダウンリンクＢＷＰの最小インデックスを有するＰＲＢの周波数領域位置と同じにするように決定するように構成された第３のＣＯＲＥＳＥＴ位置決定サブモジュールを含む。
【０１９７】
いくつかの実施形態では、第１タイプのＰＤＣＣＨのＣＯＲＥＳＥＴのＰＲＢ数、第１タイプのＰＤＣＣＨのＣＯＲＥＳＥＴの持続時間、および初期アクティブダウンリンクＢＷＰのサブキャリア間隔は、あらかじめ設定された第５のマッピング関係を有し、ＣＯＲＥＳＥＴ位置決定モジュール１０３は、第１タイプのＰＤＣＣＨのＣＯＲＥＳＥＴの持続時間、初期アクティブダウンリンクＢＷＰのサブキャリア間隔、およびあらかじめ設定された第５のマッピング関係に応じて、第１タイプのＰＤＣＣＨのＣＯＲＥＳＥＴのＰＲＢ数を決定するように構成された、第２のＣＯＲＥＳＥＴ数決定サブモジュールを含み、第１タイプのＰＤＣＣＨのＣＯＲＥＳＥＴのＰＲＢ数は、初期アクティブダウンリンクＢＷＰのＰＲＢ数と同じであり、第１タイプのＰＤＣＣＨのＣＯＲＥＳＥＴの持続時間は、あらかじめ定められているか、または基地局から取得される。
【０１９８】
いくつかの実施形態では、ＣＯＲＥＳＥＴ位置決定モジュール１０３は、第１タイプのＰＤＣＣＨのＣＯＲＥＳＥＴの持続時間が２ＯＦＤＭ（直交周波数分割多重）シンボルであることに応じて、第１のタイプのＰＤＣＣＨのモニタリング機会の開始シンボルがタイムスロット内のシンボル０および／またはシンボル７であることを決定するように構成された、第３のＰＤＣＣＨ決定サブモジュールと、第１タイプのＰＤＣＣＨのＣＯＲＥＳＥＴの持続時間が１ＯＦＤＭシンボルであることに応じて、第１タイプのＰＤＣＣＨのモニタリング機会の開始シンボルがタイムスロット内のシンボル０および／またはシンボル１であることを決定するように構成された、第４のＰＤＣＣＨ決定サブモジュールと、を含む。
【０１９９】
本開示の一実施形態では、コンピュータ命令が格納された記憶媒体が提供され、コンピュータ命令が実行されると、図１から図９に示すような上記リソース情報決定方法が実行される。記憶媒体は、例えば、不揮発性または非一過性のメモリ、光ディスク、機械ディスク、ソリッドディスクなどを含む、コンピュータ読み取り可能な記憶媒体であってもよい。
【０２００】
本開示の一実施形態では、メモリとプロセッサを含むユーザ機器が提供され、メモリにはコンピュータ命令が格納されており、プロセッサがコンピュータ命令を実行すると、図１から図９に示すような上記リソース情報決定方法が実行される。ユーザ機器としては、携帯電話、コンピュータ、タブレットコンピュータなどが含まれ得るが、これらに限定されるものではない。
【０２０１】
ＬＴＥリリース１２では、ユーザ機器がセカンダリセル（ＳＣｅｌｌ）に同期（すなわち、時間−周波数の追跡）して測定するためのディスカバリ参照信号（Discovery Reference Signal：ＤＲＳ）が定められていると理解でき、これは「ＳＣｅｌｌ  Ｄｉｓｃｏｖｅｒｙ」プロセスと呼ばれ得る。ＤＲＳを使用する利点は、ＤＲＳが、ネットワーク全体への干渉が少ない長周期の信号であるということである。ＤＲＳは、ＰＳＳ／ＳＳＳ／ＣＲＳを含み、ＣＲＳは、セル固有参照信号（Cell-specific Reference Signal）である。ＦＤＤシステムの場合、ＤＲＳの継続時間は１〜５の連続したサブフレームとなり、ＴＤＤシステムの場合、ＤＲＳの継続時間は２〜５の連続したサブフレームとなる。ＤＲＳの送信タイミングは、ディスカバリ測定タイミング構成（Discovery Measurement Timing Configuration：ＤＭＴＣ）によって定められる。ユーザ機器は、ＤＲＳが各ＤＭＴＣ期間に１回現れることを想定している。
【０２０２】
ＬＴＥのライセンスアシストアクセス（Licensed Assisted Access：ＬＡＡ）では、ＤＲＳをアンライセンス周波数帯での「ＳＣｅｌｌ  Ｄｉｓｃｏｖｅｒｙ」プロセスとして使用できる。ＤＲＳの長周期特性により、ＬＡＡシステムやアンライセンス周波数帯を共有する他のシステム（例えば、Ｗｉ−Ｆｉ（登録商標）システム）への干渉を低減できる。ＬＡＡ  ＤＲＳの継続時間は、空ではないサブフレーム内の１２ＯＦＤＭシンボルであり、これによりＬＡＡシステムや他のシステムへの干渉をさらに低減できる。ＬＡＡ  ＤＲＳはＰＳＳ／ＳＳＳ／ＣＲＳも含む。
【０２０３】
ＬＡＡ  ＤＲＳは、以下の２つの状況で表示されることがある。
【０２０４】
一つには、ユーザ機器は、ＬＡＡ  ＤＲＳがＤＭＴＣ内の任意のサブフレームに現れる可能性があり、ＤＭＴＣ内のＰＳＳ、ＳＳＳおよびＣＲＳを含む第１のサブフレームに現れる可能性があると想定され得る。つまり、ユーザ機器は、基地局がＤＭＴＣでＬＢＴ（Listen Before Talk）を行うことを想定し、チャネルがアイドル状態であると検出された場合、基地局は空ではないサブフレームでＤＲＳを送信する。
【０２０５】
また、ＬＡＡ  ＤＲＳをＰＤＳＣＨ／ＰＤＣＣＨ／ＥＰＤＣＣＨとともに送信する場合、ＬＡＡ  ＤＲＳはサブフレーム０またはサブフレーム５にのみ表示され得る。つまり、ＤＭＴＣにサブフレーム０またはサブフレーム５が含まれており、ユーザ機器がサブフレーム０またはサブフレーム５でＰＤＣＣＨ／ＥＰＤＣＣＨの検出またはＰＤＳＣＨの受信を行う必要がある場合、ユーザ機器はＤＲＳがサブフレーム０またはサブフレーム５のみに現れることを想定する。
【０２０６】
また、５ＧのＲＭＳＩ（remaining minimum system information）は、ＬＴＥのＳＩＢ１と同様に、ＭＩＢを除く主要なシステム情報を含んでいる。ＲＭＳＩはＰＤＳＣＨで伝送され、ＰＤＳＣＨはＰＤＣＣＨでスケジューリングされる。ＲＭＳＩを伝送するＰＤＳＣＨを一般にＲＭＳＩ  ＰＤＳＣＨと呼び、ＲＭＳＩ  ＰＤＳＣＨをスケジューリングするＰＤＣＣＨを一般にＲＭＳＩ  ＰＤＣＣＨと呼ぶ。
【０２０７】
一般的に、サーチスペースセットには、ＰＤＣＣＨモニタリングタイミングやサーチスペースタイプなどのプロパティが含まれる。サーチスペースセットは一般的に、ＰＤＣＣＨの周波数領域リソースおよび持続時間を含むＣＯＲＥＳＥＴを結び付ける。
【０２０８】
ＲＭＳＩ  ＰＤＣＣＨが配置されているサーチスペースセットは、一般的に第１タイプのＰＤＣＣＨサーチスペースセットと呼ばれている。一般的に、ＭＩＢによって設定された、またはハンドオーバおよび他の状況でＲＲＣによって設定された第１タイプのＰＤＣＣＨサーチスペースセットは、サーチスペース０（またはサーチスペースセット０）と呼ばれ、結び付けられたＣＯＲＥＳＥＴはＣＯＲＥＳＥＴ０と呼ばれる。ＲＭＳＩ  ＰＤＣＣＨのサーチスペースセット以外にも、他のパブリックサーチスペースまたはパブリックサーチスペースセット、例えば、ＯＳＩ  ＰＤＣＣＨのサーチスペースセット（Ｔｙｐｅ０Ａ−ＰＤＣＣＨサーチスペースセット）、ＲＡＲ  ＰＤＣＣＨのサーチスペースセット（Ｔｙｐｅ１−ＰＤＣＣＨサーチスペースセット）、Ｐａｇｉｎｇ  ＰＤＣＣＨのサーチスペースセット（Ｔｙｐｅ２−ＰＤＣＣＨサーチスペースセット）なども、デフォルトではサーチスペースセット０と同じと考えることができる。一般的に、上記のパブリックサーチスペースやパブリックサーチスペースセットは再構成可能である。
【０２０９】
さらに、ＮＲアンライセンス周波数帯では、ユーザ機器がセルサーチ処理でＮＲアンライセンス周波数帯のセルを検出できるように、同期信号ブロックを定める必要がある。同期信号ブロックはＤＲＳに含めることができ、ＤＲＳの同期信号ブロックが全体として含まれる場合と、ＤＲＳが定められておらず、同期信号ブロックが独立して存在する場合とがある。
【０２１０】
ＮＲアンライセンス周波数帯では、基地局はＤＲＳや同期信号ブロックを送信する前にＬＢＴを行う必要がある。基地局は、チャネルがアイドル状態であることが検出された場合にのみ、ＤＲＳまたは同期信号ブロックを送信し、そうでない場合には、一定期間後に再びＬＢＴを実行する。ＤＲＳまたは同期信号ブロックは、一定の送信ウィンドウ内で送信される。このウィンドウは、基地局とユーザ機器の間で合意されている場合もあれば、ＤＭＴＣまたはＳＭＴＣ（Synchronization Measurement Timing Configuration）によるＲＲＣシグナリングで設定されている場合もある。
【０２１１】
以上、本開示をその好ましい実施形態を参照して開示してきたが、本開示は例示に過ぎず、限定されるものではないことを理解すべきである。当業者は、本開示の精神および範囲から逸脱することなく、実施形態を修正および変更できる。
【図１】
2022502917.tif 000003
【図２】
2022502917.tif 000004
【図３】
2022502917.tif 000005
【図４】
2022502917.tif 000006
【図５】
2022502917.tif 000007
【図６】
2022502917.tif 000008
【図７】
2022502917.tif 000009
【図８】
2022502917.tif 000010
【図９】
2022502917.tif 000011
【図１０】
2022502917.tif 000012
【国際調査報告】
2022502917.tif 000013
2022502917.tif 000014
2022502917.tif 000015
2022502917.tif 000016
2022502917.tif 000017
2022502917.tif 000018